(57)【要約】【課題】伝送品質に応じた最適な品質による通話を実現する。【解決手段】第一テレビ電話端末１０と第一中継装置２０と第二中継装置３０と第二テレビ電話端末４０を具備する情報処理システムであって、第二テレビ電話端末４０は、伝送品質を取得する伝送品質取得部４１と、第二中継装置３０から映像および音声を有する情報を受信する第二情報受信部４２と、伝送品質取得部４１が取得した伝送品質に基づいて第二情報受信部４２が受信した情報の変更方法を決定する変更方法決定部４３と、変更方法決定部４３が決定した変更方法に基づいて、第二情報受信部４２が受信した情報を変更する情報変更部４４と、情報変更部４４が変更した情報が有する映像を出力する第二映像出力部４５と、前記情報変更部４４が変更した情報が有する音声を出力する第二音声出力部４６を具備した。【選択図】図２
2006222838.tif 000002
【特許請求の範囲】
【請求項１】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を送信する第一情報送信部を具備し、
前記第一中継装置は、
前記情報を受信する第一中継情報受信部と、
前記受信した情報を前記第二中継装置に送信する第一中継情報送信部を具備し、
前記第二中継装置は、
前記第一中継装置から情報を受信する第二中継情報受信部と、
前記受信した情報を前記第二テレビ電話端末に送信する第二中継情報送信部を具備し、
前記第二テレビ電話端末は、
伝送品質を取得する伝送品質取得部と、
前記第二中継装置から情報を受信する第二情報受信部と、
前記伝送品質に基づいて前記情報の変更方法を決定する変更方法決定部と、
前記変更方法に基づいて、前記第二情報受信部が受信した情報を変更する情報変更部と、前記情報変更部が変更した情報が有する映像を出力する第二映像出力部と、
前記情報変更部が変更した情報が有する音声を出力する第二音声出力部を具備する情報処理システム。
【請求項２】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を送信する第一情報送信部を具備し、
前記第一中継装置は、
前記情報を受信する第一中継情報受信部と、
前記受信した情報を前記第二中継装置に送信する第一中継情報送信部を具備し、
前記第二中継装置は、
前記第一中継装置から情報を受信する第二中継情報受信部と、
伝送品質に関する情報である伝送品質情報を前記第二テレビ電話端末から受信する伝送品質情報受信部と、
前記伝送品質情報に基づいて前記情報の変更方法を決定する変更方法決定部と、
前記変更方法に基づいて、前記第二情報受信部が受信した情報を変更する情報変更部と、前記情報変更部が変更した情報を前記第二テレビ電話端末に送信する第二中継情報送信部を具備し、
前記第二テレビ電話端末は、
伝送品質を取得する伝送品質取得部と、
前記伝送品質に関する情報である伝送品質情報を構成し、当該伝送品質情報を前記第二中継装置に送信する伝送品質情報送信部と、
前記第二中継装置から情報を受信する第二情報受信部と、
前記第二情報受信部が受信した情報が有する映像を出力する第二映像出力部と、
前記第二情報受信部が受信した情報が有する音声を出力する第二音声出力部を具備する情報処理システム。
【請求項３】
第一テレビ電話端末と第一中継装置と第二中継装置と第二テレビ電話端末を具備する情報
処理システムであって、
前記第一テレビ電話端末は、
映像を取得する第一映像取得部と、
音声を取得する第一音声取得部と、
前記映像および前記音声を有する情報を送信する第一情報送信部を具備し、
前記第一中継装置は、
前記情報を受信する第一中継情報受信部と、
前記受信した情報を前記第二中継装置に送信する第一中継情報送信部を具備し、
前記第二中継装置は、
伝送品質を取得する伝送品質取得部と、
前記伝送品質に関する情報である伝送品質情報を構成し、当該伝送品質情報を前記第二テレビ電話端末に送信する伝送品質情報送信部と、
前記第一中継装置から情報を受信する第二中継情報受信部と、
前記第二中継情報受信部が受信した情報を前記第二テレビ電話端末に送信する第二中継情報送信部を具備し、
前記第二テレビ電話端末は、
前記第二中継装置から情報を受信する第二情報受信部と、
前記第二中継装置から伝送品質情報を受信する伝送品質情報受信部と、
前記伝送品質情報に基づいて前記情報の変更方法を決定する変更方法決定部と、
前記変更方法に基づいて、前記第二情報受信部が受信した情報を変更する情報変更部と、前記情報変更部が変更した情報が有する映像を出力する第二映像出力部と、
前記情報変更部が変更した情報が有する音声を出力する第二音声出力部を具備する情報処理システム。
【請求項４】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を送信する第一情報送信部を具備し、
前記第一中継装置は、
前記情報を受信する第一中継情報受信部と、
前記受信した情報を前記第二中継装置に送信する第一中継情報送信部を具備し、
前記第二中継装置は、
前記第一中継装置から情報を受信する第二中継情報受信部と、
伝送品質を取得する伝送品質取得部と、
前記伝送品質情報に基づいて前記情報の変更方法を決定する変更方法決定部と、
前記変更方法に基づいて、前記第二情報受信部が受信した情報を変更する情報変更部と、前記情報変更部が変更した情報を前記第二テレビ電話端末に送信する第二中継情報送信部を具備し、
前記第二テレビ電話端末は、
前記第二中継装置から情報を受信する第二情報受信部と、
前記第二情報受信部が受信した情報が有する映像を出力する第二映像出力部と、
前記第二情報受信部が受信した情報が有する音声を出力する第二音声出力部を具備する情報処理システム。
【請求項５】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を送信する第一情報送信部と、
伝送品質を取得する伝送品質取得部と、
前記伝送品質に関する情報である伝送品質情報を構成し、当該伝送品質情報を前記第一中継装置に送信する伝送品質情報送信部を具備し、
前記第一中継装置は、
前記情報を受信する第一中継情報受信部と、
伝送品質情報を前記第一テレビ電話端末から受信する伝送品質情報受信部と、
前記伝送品質情報に基づいて前記情報の変更方法を決定する変更方法決定部と、
前記変更方法に基づいて、前記第二情報受信部が受信した情報を変更する情報変更部と、前記情報変更部が変更した情報を前記第二中継装置に送信する第一中継情報送信部を具備し、
前記第二中継装置は、
前記第一中継装置から情報を受信する第二中継情報受信部と、
前記第二中継情報受信部が受信した情報を前記第二テレビ電話端末に送信する第二中継情報送信部を具備し、
前記第二テレビ電話端末は、
前記第二中継装置から情報を受信する第二情報受信部と、
前記第二情報受信部が受信した情報が有する映像を出力する第二映像出力部と、
前記第二情報受信部が受信した情報が有する音声を出力する第二音声出力部を具備する情報処理システム。
【請求項６】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を構成して、送信する第一情報送信部と、
伝送品質情報を前記第一中継装置から受信する伝送品質情報受信部と、
前記伝送品質情報に基づいて前記情報の変更方法を決定する変更方法決定部と、
前記変更方法に基づいて、前記第一情報送信部が構成した情報を変更する情報変更部を具備し、
前記第一中継装置は、
前記情報を受信する第一中継情報受信部と、
伝送品質を取得する伝送品質取得部と、
前記伝送品質に関する情報である伝送品質情報を構成し、当該伝送品質情報を前記第一電話端末に送信する伝送品質情報送信部と、
前記第一中継情報受信部が受信した情報を前記第二中継装置に送信する第一中継情報送信部を具備し、
前記第二中継装置は、
前記第一中継装置から情報を受信する第二中継情報受信部と、
前記第二中継情報受信部が受信した情報を前記第二テレビ電話端末に送信する第二中継情報送信部を具備し、
前記第二テレビ電話端末は、
前記第二中継装置から情報を受信する第二情報受信部と、
前記第二情報受信部が受信した情報が有する映像を出力する第二映像出力部と、
前記第二情報受信部が受信した情報が有する音声を出力する第二音声出力部を具備する情報処理システム。
【請求項７】
第一テレビ電話端末と第一中継装置と第二中継装置と第二テレビ電話端末を具備する情報
処理システムであって、
前記第一テレビ電話端末は、
映像を取得する第一映像取得部と、
音声を取得する第一音声取得部と、
前記映像および前記音声を有する情報を送信する第一情報送信部と、
伝送品質を取得する伝送品質取得部と、
前記伝送品質に関する情報である伝送品質情報を構成し、当該伝送品質情報を前記第一中継装置に送信する伝送品質情報送信部を具備し、
前記第一中継装置は、
前記第一テレビ電話端末から伝送品質情報を受信する第一中継伝送品質情報受信部と、
前記情報を受信する第一中継情報受信部と、
前記第一中継情報受信部が受信した情報を前記第二中継装置に送信する第一中継情報送信部と、
前記伝送品質情報を前記第二中継装置に送信する第一中継伝送品質情報送信部を具備し、前記第二中継装置は、
前記第一中継装置から伝送品質情報を受信する伝送品質情報を第二中継伝送品質情報受信部と、
前記伝送品質情報を前記第二テレビ電話端末に送信する第二中継伝送品質情報送信部と、前記第一中継装置から情報を受信する第二中継情報受信部と、
前記第二中継情報受信部が受信した情報を前記第二テレビ電話端末に送信する第二中継情報送信部を具備し、
前記第二テレビ電話端末は、
前記第二中継装置から情報を受信する第二情報受信部と、
前記伝送品質情報を前記第二中継装置から受信する伝送品質情報受信部と、
前記伝送品質情報に基づいて前記情報の変更方法を決定する変更方法決定部と、
前記変更方法に基づいて、前記第二情報受信部が受信した情報を変更する情報変更部と、前記情報変更部が変更した情報が有する映像を出力する第二映像出力部と、
前記情報変更部が変更した情報が有する音声を出力する第二音声出力部を具備する情報処理システム。
【請求項８】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を送信する第一情報送信部と、
伝送品質を取得する伝送品質取得部と、
前記伝送品質に関する情報である伝送品質情報を構成し、当該伝送品質情報を前記第一中継装置に送信する伝送品質情報送信部を具備し、
前記第一中継装置は、
前記第一テレビ電話端末から伝送品質情報を受信する第一中継伝送品質情報受信部と、
前記情報を受信する第一中継情報受信部と、
前記第一中継情報受信部が受信した情報を前記第二中継装置に送信する第一中継情報送信部と、
前記伝送品質情報を前記第二中継装置に送信する第一中継伝送品質情報送信部を具備し、前記第二中継装置は、
前記第一中継装置から情報を受信する第二中継情報受信部と、
前記伝送品質情報を前記第一中継装置から受信する伝送品質情報受信部と、
前記伝送品質情報に基づいて前記情報の変更方法を決定する変更方法決定部と、
前記変更方法に基づいて、前記第二情報受信部が受信した情報を変更する情報変更部と、
前記情報変更部が変更した情報を前記第二テレビ電話端末に送信する第二中継情報送信部を具備し、
前記第二テレビ電話端末は、
前記第二中継装置から情報を受信する第二情報受信部と、
前記第二情報受信部が受信した情報が有する映像を出力する第二映像出力部と、
前記第二情報受信部が受信した情報が有する音声を出力する第二音声出力部を具備する情報処理システム。
【請求項９】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を送信する第一情報送信部を具備し、
前記第一中継装置は、
前記情報を受信する第一中継情報受信部と、
伝送品質を取得する伝送品質取得部と、
前記伝送品質に基づいて前記情報の変更方法を決定する変更方法決定部と、
前記変更方法に基づいて、前記第一中継情報受信部が受信した情報を変更する情報変更部と、
前記情報変更部が変更した情報を前記第二中継装置に送信する第一中継情報送信部を具備し、
前記第二中継装置は、
前記第一中継装置から情報を受信する第二中継情報受信部と、
前記第二中継情報受信部が受信した情報を前記第二テレビ電話端末に送信する第二中継情報送信部を具備し、
前記第二テレビ電話端末は、
前記第二中継装置から情報を受信する第二情報受信部と、
前記第二情報受信部が受信した情報が有する映像を出力する第二映像出力部と、
前記第二情報受信部が受信した情報が有する音声を出力する第二音声出力部を具備する情報処理システム。
【請求項１０】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を構成し、送信する第一情報送信部と、
前記第一中継装置から伝送品質情報を受信する伝送品質情報受信部と、
前記伝送品質情報に基づいて前記情報の変更方法を決定する変更方法決定部と、
前記変更方法に基づいて、前記第一情報送信部が構成した情報を変更する情報変更部を具備し、
前記第一中継装置は、
前記情報を受信する第一中継情報受信部と、
前記第一中継情報受信部が受信した情報を前記第二中継装置に送信する第一中継情報送信部と、
前記第二中継装置から伝送品質に関する情報である伝送品質情報を受信する第一中継伝送品質情報受信部と、前記伝送品質情報を前記第一テレビ電話端末に送信する第一中継伝送品質情報送信部を具備し、
前記第二中継装置は、
前記第一中継装置から情報を受信する第二中継情報受信部と、
前記第二中継情報受信部が受信した情報を前記第二テレビ電話端末に送信する第二中継情報送信部と、
伝送品質を取得する伝送品質取得部と、
前記伝送品質に関する情報である伝送品質情報を構成し、当該伝送品質情報を前記第一中継装置に送信する伝送品質情報送信部を具備し、
前記第二テレビ電話端末は、
前記第二中継装置から情報を受信する第二情報受信部と、
前記第二情報受信部が受信した情報が有する映像を出力する第二映像出力部と、
前記第二情報受信部が受信した情報が有する音声を出力する第二音声出力部を具備する情報処理システム。
【請求項１１】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を送信する第一情報送信部を具備し、
前記第一中継装置は、
伝送品質を取得する伝送品質取得部と、
前記伝送品質に関する情報である伝送品質情報を構成し、当該伝送品質情報を前記第一中継装置に送信する伝送品質情報送信部と、
前記情報を受信する第一中継情報受信部と、
前記第一中継情報受信部が受信した情報を前記第二中継装置に送信する第一中継情報送信部を具備し、
前記第二中継装置は、
前記第一中継装置から伝送品質情報を受信する伝送品質情報を中継伝送品質情報受信部と、
前記伝送品質情報を前記第二テレビ電話端末に送信する中継伝送品質情報送信部と、
前記第一中継装置から情報を受信する第二中継情報受信部と、
前記第二中継情報受信部が受信した情報を前記第二テレビ電話端末に送信する第二中継情報送信部を具備し、
前記第二テレビ電話端末は、
前記第二中継装置から情報を受信する第二情報受信部と、
伝送品質情報を前記第二中継装置から受信する伝送品質情報受信部と、
前記伝送品質情報に基づいて前記情報の変更方法を決定する変更方法決定部と、
前記変更方法に基づいて、前記第二情報受信部が受信した情報を変更する情報変更部と、前記情報変更部が変更した情報が有する映像を出力する第二映像出力部と、
前記情報変更部が変更した情報が有する音声を出力する第二音声出力部を具備する情報処理システム。
【請求項１２】
第一テレビ電話端末と第一中継装置と第二中継装置と第二テレビ電話端末を具備する情報処理システムであって、
前記第一テレビ電話端末は、
映像を取得する第一映像取得部と、
音声を取得する第一音声取得部と、
前記映像および前記音声を有する情報を送信する第一情報送信部を具備し、
前記第一中継装置は、
伝送品質を取得する伝送品質取得部と、
前記伝送品質に関する情報である伝送品質情報を構成し、当該伝送品質情報を前記第一中
継装置に送信する伝送品質情報送信部と、
前記情報を受信する第一中継情報受信部と、
前記第一中継情報受信部が受信した情報を前記第二中継装置に送信する第一中継情報送信部を具備し、
前記第二中継装置は、
前記第一中継装置から情報を受信する第二中継情報受信部と、
前記伝送品質情報を前記第一中継装置から受信する伝送品質情報受信部と、
前記伝送品質情報に基づいて前記情報の変更方法を決定する変更方法決定部と、
前記変更方法に基づいて、前記第二情報受信部が受信した情報を変更する情報変更部と、前記情報変更部が変更した情報を前記第二テレビ電話端末に送信する第二中継情報送信部を具備し、
前記第二テレビ電話端末は、
前記第二中継装置から情報を受信する第二情報受信部と、
前記第二情報受信部が受信した情報が有する映像を出力する第二映像出力部と、
前記第二情報受信部が受信した情報が有する音声を出力する第二音声出力部を具備する情報処理システム。
【請求項１３】
前記変更方法決定部は、前記伝送品質に基づいて映像の解像度を決定し、
前記情報変更部は、前記変更方法決定部が決定した解像度に前記情報が有する映像を変更する請求項１から請求項１２いずれか記載の情報処理システム。
【請求項１４】
前記変更方法決定部は、前記伝送品質に基づいて符号化方式を決定し、
前記情報変更部は、前記変更方法決定部が決定した符号化方式に合致するように前記情報を変更する請求項１から請求項１２いずれか記載の情報処理システム。
【請求項１５】
前記変更方法決定部は、前記伝送品質に基づいて変調方式を決定し、
前記情報変更部は、前記変更方法決定部が決定した変調方式に合致するように前記情報を変更する請求項１から請求項１２いずれか記載の情報処理システム。
【請求項１６】
請求項１から請求項１５いずれか記載の情報処理システムを構成する第一テレビ電話端末。
【請求項１７】
請求項１から請求項１５いずれか記載の情報処理システムを構成する第一中継装置。
【請求項１８】
請求項１から請求項１５いずれか記載の情報処理システムを構成する第二中継装置。
【請求項１９】
請求項１から請求項１５いずれか記載の情報処理システムを構成する第二テレビ電話端末。
【請求項２０】
受信する情報が有する映像および音声を表示するテレビ電話端末であって、
前記情報の伝送品質に基づいて伝送中に情報の符号化方式が変更された情報が有する映像および音声を表示するテレビ電話端末。
【請求項２１】
受信する情報が有する映像および音声を表示するテレビ電話端末であって、
前記情報の伝送品質に基づいて伝送中に情報の変調方式が変更された情報が有する映像および音声を表示するテレビ電話端末。
【請求項２２】
テレビ電話端末を備えた情報処理システムにおける情報処理方法であって、
映像および音声を有する情報の伝送品質を受信するステップと、
映像および音声を有する情報を、前記受信した伝送品質に基づいて変更するステップを備
えた情報処理方法。
【請求項２３】
コンピュータに、
映像を取得するステップと、
音声を取得するステップと、
前記映像および前記音声を有する情報を送信するステップと、
伝送品質を取得するステップと、
前記伝送品質に関する情報である伝送品質情報を構成し、当該伝送品質情報を送信するステップを実行させるためのプログラム。
【請求項２４】
コンピュータに、
映像を取得するステップと、
音声を取得するステップと、
前記映像および前記音声を有する情報を作成するステップと、
伝送品質に関する情報である伝送品質情報を受信するステップと、
前記受信した伝送品質に基づいて前記作成した情報の変更方法を決定するステップと、
前記変更方法に基づいて、前記作成した情報を変更するステップと、
前記変更した情報を送信するステップを実行させるためのプログラム。
【請求項２５】
コンピュータに、
映像および音声を有する情報を受信するステップと、
伝送品質に関する情報である伝送品質情報を受信するステップと、
前記伝送品質情報に基づいて前記情報の変更方法を決定するステップと、
前記変更方法に基づいて、前記受信した映像および音声を有する情報を変更するステップと、
前記変更した情報を送信するステップを実行させるためのプログラム。
【請求項２６】
コンピュータに、
伝送品質に関する情報である伝送品質情報を受信するステップと、
前記伝送品質情報を送信するステップと、
映像および音声を有する情報を受信するステップと、
前記受信した映像および音声を有する情報を送信するステップを実行させるためのプログラム。
【請求項２７】
コンピュータに、
映像および音声を有する情報を受信するステップと、
伝送品質を取得するステップと、
前記伝送品質に基づいて前記情報の変更方法を決定するステップと、
前記変更方法に基づいて、前記受信した情報を変更するステップと、
前記変更した情報を送信するステップを実行させるためのプログラム。
【請求項２８】
コンピュータに、
伝送品質を取得するステップと、
前記伝送品質に関する情報である伝送品質情報を構成し、当該伝送品質情報を送信するステップと、
映像および音声を有する情報を受信するステップと、
前記受信した情報を送信するステップを実行させるためのプログラム。
【請求項２９】
コンピュータに、
伝送品質を取得するステップと、
映像および音声を有する情報を受信するステップと、
前記伝送品質に基づいて前記情報の変更方法を決定するステップと、
前記変更方法に基づいて、前記受信した情報を変更するステップと、
前記変更した情報が有する映像を出力するステップと、
前記情報変更部が変更した情報が有する音声を出力するステップを実行させるためのプログラム。
【請求項３０】
コンピュータに、
伝送品質を取得するステップと、
前記伝送品質に関する情報である伝送品質情報を構成し、当該伝送品質情報を送信するステップと、
前記映像および音声を有する情報を受信するステップと、
前記受信した情報が有する映像を出力するステップと、
前記受信した情報が有する音声を出力するステップを実行させるためのプログラム。
【請求項３１】
コンピュータに、
映像および音声を有する情報を受信するステップと、
伝送品質に関する情報である伝送品質情報を受信するステップと、
前記伝送品質情報に基づいて前記受信した情報の変更方法を決定するステップと、
前記変更方法に基づいて、前記受信した情報を変更するステップと、
前記変更した情報が有する映像を出力するステップと、
前記変更した情報が有する音声を出力するステップを実行させるためのプログラム。
【発明の詳細な説明】
【技術分野】
【０００１】
本発明は、テレビ電話端末を備えた情報処理システム等に関する。
【背景技術】
【０００２】
従来から、テレビ電話端末として固定設置型のものが知られていたが、近年では、携帯電話機にテレビ電話端末としての機能を付加した、携帯型のテレビ電話端末も現れてきている（例えば、特許文献１参照）。
【０００３】
このようなテレビ電話端末を備えた情報処理システムにおいては、通話先に、音声とともに、カメラで撮影した映像を伝送し、表示させることができる。このため、音声だけでは伝えることの困難な情報を、離れている相手に伝えることができるという利点がある。
【特許文献１】特開２００４−３０４８３２号公報（第１頁、第１図等）
【発明の開示】
【発明が解決しようとする課題】
【０００４】
しかしながら、テレビ電話端末を備えた情報処理システムにおいては、音声情報に加えて、情報量の多い映像情報も通話先のテレビ電話端末に対して伝送する必要があるため、通話時に伝送されるデータ量は、音声のみの電話に加えて非常に大きい。
【０００５】
このため、発信元のテレビ電話端末と、通話先のテレビ電話端末との間で送受信される情報の伝送品質が劣化して、受信される情報のエラー発生率が増加したり、雑音が増加したりすると、音声および映像の再生に必要なデータが十分に伝送されなくなり、通話先において出力される映像および音声が乱れたり、映像および音声が頻繁に途切れてしまい、通話に支障をきたしてしまうという課題があった。
【０００６】
特に、このような課題は、電波の受信電界強度の変化によって、伝送品質の変化が起こりやすい携帯型テレビ電話端末を備えた情報処理システムにおいて起こりやすい。
【課題を解決するための手段】
【０００７】
本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部を具備し、前記第一中継装置は、前記情報を受信する第一中継情報受信部と、前記受信した情報を前記第二中継装置に送信する第一中継情報送信部を具備し、前記第二中継装置は、前記第一中継装置から情報を受信する第二中継情報受信部と、前記受信した情報を前記第二テレビ電話端末に送信する第二中継情報送信部を具備し、前記第二テレビ電話端末は、伝送品質を取得する伝送品質取得部と、前記第二中継装置から情報を受信する第二情報受信部と、前記伝送品質に基づいて前記情報の変更方法を決定する変更方法決定部と、前記変更方法に基づいて、前記第二情報受信部が受信した情報を変更する情報変更部と、前記情報変更部が変更した情報が有する映像を出力する第二映像出力部と、前記情報変更部が変更した情報が有する音声を出力する第二音声出力部を具備するものである。
【０００８】
かかる構成により、伝送品質の変化に応じて、映像および音声を有する情報を変更できる。これにより、伝送品質に応じた最適な品質による通話を実現できる。また、第二テレビ電話端末が、伝送品質に応じて、映像および音声を有する情報を変更するようにしたので、映像および音声を有する情報を受信するユーザが、現在出力されている映像や音声の
出力モードを見て出力モードの変更の要否を判断して、伝送品質に応じた映像や音声の変更を行うか否かの選択を行えるようにすることができる。これにより、ユーザの好みに適応した映像および音声を提供することが可能となる。
【０００９】
また、本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部を具備し、前記第一中継装置は、前記情報を受信する第一中継情報受信部と、前記受信した情報を前記第二中継装置に送信する第一中継情報送信部を具備し、前記第二中継装置は、前記第一中継装置から情報を受信する第二中継情報受信部と、伝送品質に関する情報である伝送品質情報を前記第二テレビ電話端末から受信する伝送品質情報受信部と、前記伝送品質情報に基づいて前記情報の変更方法を決定する変更方法決定部と、前記変更方法に基づいて、前記第二情報受信部が受信した情報を変更する情報変更部と、前記情報変更部が変更した情報を前記第二テレビ電話端末に送信する第二中継情報送信部を具備し、前記第二テレビ電話端末は、伝送品質を取得する伝送品質取得部と、前記伝送品質に関する情報である伝送品質情報を構成し、当該伝送品質情報を前記第二中継装置に送信する伝送品質情報送信部と、前記第二中継装置から情報を受信する第二情報受信部と、前記第二情報受信部が受信した情報が有する映像を出力する第二映像出力部と、前記第二情報受信部が受信した情報が有する音声を出力する第二音声出力部を具備するものである。
【００１０】
かかる構成により、伝送品質の変化に応じて、映像および音声を有する情報を変更できる。これにより、伝送品質に応じた最適な品質による通話を実現できる。また、映像および音声を有する情報の変更を第二テレビ電話端末で行わなくてよいため、第二テレビ電話端末が高性能なプロセッサ等を備える必要が無くなり、第二テレビ電話端末を安価に提供することができる。
【００１１】
また、本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部を具備し、前記第一中継装置は、前記情報を受信する第一中継情報受信部と、前記受信した情報を前記第二中継装置に送信する第一中継情報送信部を具備し、前記第二中継装置は、伝送品質を取得する伝送品質取得部と、前記伝送品質に関する情報である伝送品質情報を構成し、当該伝送品質情報を前記第二テレビ電話端末に送信する伝送品質情報送信部と、前記第一中継装置から情報を受信する第二中継情報受信部と、前記第二中継情報受信部が受信した情報を前記第二テレビ電話端末に送信する第二中継情報送信部を具備し、前記第二テレビ電話端末は、前記第二中継装置から情報を受信する第二情報受信部と、前記第二中継装置から伝送品質情報を受信する伝送品質情報受信部と、前記伝送品質情報に基づいて前記情報の変更方法を決定する変更方法決定部と、前記変更方法に基づいて、前記第二情報受信部が受信した情報を変更する情報変更部と、前記情報変更部が変更した情報が有する映像を出力する第二映像出力部と、前記情報変更部が変更した情報が有する音声を出力する第二音声出力部を具備するものである。
【００１２】
かかる構成により、伝送品質の変化に応じて、映像および音声を有する情報を変更できる。これにより、伝送品質に応じた最適な品質による通話を実現できる。また、第二テレビ電話端末が、伝送品質に応じて、映像および音声を有する情報を変更するようにしたので、映像および音声を有する情報を受信するユーザが、現在出力されている映像や音声の出力モードを見て出力モードの変更の要否を判断して、スイッチや、ディスプレイに表示されるメニュー等を操作して出力モードを切り替えることにより、伝送品質に応じた映像
や音声の変更を行うか否かの選択を行えるようにすることができる。これにより、ユーザの好みに適応した映像および音声を提供することが可能となる。
【００１３】
また、本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部を具備し、前記第一中継装置は、前記情報を受信する第一中継情報受信部と、前記受信した情報を前記第二中継装置に送信する第一中継情報送信部を具備し、前記第二中継装置は、前記第一中継装置から情報を受信する第二中継情報受信部と、伝送品質を取得する伝送品質取得部と、前記伝送品質情報に基づいて前記情報の変更方法を決定する変更方法決定部と、前記変更方法に基づいて、前記第二情報受信部が受信した情報を変更する情報変更部と、前記情報変更部が変更した情報を前記第二テレビ電話端末に送信する第二中継情報送信部を具備し、前記第二テレビ電話端末は、前記第二中継装置から情報を受信する第二情報受信部と、前記第二情報受信部が受信した情報が有する映像を出力する第二映像出力部と、前記第二情報受信部が受信した情報が有する音声を出力する第二音声出力部を具備するものである。
【００１４】
かかる構成により、伝送品質の変化に応じて、映像および音声を有する情報を変更できる。これにより、伝送品質に応じた最適な品質による通話を実現できる。また、映像および音声を有する情報の変更を第二テレビ電話端末で行わなくてよいため、第二テレビ電話端末が高性能なプロセッサ等を備える必要が無くなり、第二テレビ電話端末を安価に提供することができる。
【００１５】
また、本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部と、伝送品質を取得する伝送品質取得部と、前記伝送品質に関する情報である伝送品質情報を構成し、当該伝送品質情報を前記第一中継装置に送信する伝送品質情報送信部を具備し、前記第一中継装置は、前記情報を受信する第一中継情報受信部と、伝送品質情報を前記第一テレビ電話端末から受信する伝送品質情報受信部と、前記伝送品質情報に基づいて前記情報の変更方法を決定する変更方法決定部と、前記変更方法に基づいて、前記第二情報受信部が受信した情報を変更する情報変更部と、前記情報変更部が変更した情報を前記第二中継装置に送信する第一中継情報送信部を具備し、前記第二中継装置は、前記第一中継装置から情報を受信する第二中継情報受信部と、前記第二中継情報受信部が受信した情報を前記第二テレビ電話端末に送信する第二中継情報送信部を具備し、前記第二テレビ電話端末は、前記第二中継装置から情報を受信する第二情報受信部と、前記第二情報受信部が受信した情報が有する映像を出力する第二映像出力部と、前記第二情報受信部が受信した情報が有する音声を出力する第二音声出力部を具備するものである。
【００１６】
かかる構成により、伝送品質の変化に応じて、映像および音声を有する情報を変更できる。これにより、伝送品質に応じた最適な品質による通話を実現できる。また、映像および音声を有する情報の変更を、第一テレビ電話端末で行わなくてよいため、第一テレビ電話端末が高性能なプロセッサ等を備える必要が無くなり、第一テレビ電話端末を安価に提供することができる。
【００１７】
また、本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を構成して、送信する第一情報送信部と、伝送品質情報を前
記第一中継装置から受信する伝送品質情報受信部と、前記伝送品質情報に基づいて前記情報の変更方法を決定する変更方法決定部と、前記変更方法に基づいて、前記第一情報送信部が構成した情報を変更する情報変更部を具備し、前記第一中継装置は、前記情報を受信する第一中継情報受信部と、伝送品質を取得する伝送品質取得部と、前記伝送品質に関する情報である伝送品質情報を構成し、当該伝送品質情報を前記第一電話端末に送信する伝送品質情報送信部と、前記第一中継情報受信部が受信した情報を前記第二中継装置に送信する第一中継情報送信部を具備し、前記第二中継装置は、前記第一中継装置から情報を受信する第二中継情報受信部と、前記第二中継情報受信部が受信した情報を前記第二テレビ電話端末に送信する第二中継情報送信部を具備し、前記第二テレビ電話端末は、前記第二中継装置から情報を受信する第二情報受信部と、前記第二情報受信部が受信した情報が有する映像を出力する第二映像出力部と、前記第二情報受信部が受信した情報が有する音声を出力する第二音声出力部を具備するものである。
【００１８】
かかる構成により、伝送品質の変化に応じて、映像および音声を有する情報を変更できる。これにより、伝送品質に応じた最適な品質による通話を実現できる。また、映像および音声を有する情報の変更を、第一テレビ電話端末や第二テレビ電話端末で行わなくてよいため、第一テレビ電話端末や第二テレビ電話端末が高性能なプロセッサ等を備える必要が無くなり、第一テレビ電話端末や第二テレビ電話端末を安価に提供することができる。
【００１９】
また、本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部と、伝送品質を取得する伝送品質取得部と、前記伝送品質に関する情報である伝送品質情報を構成し、当該伝送品質情報を前記第一中継装置に送信する伝送品質情報送信部を具備し、前記第一中継装置は、前記第一テレビ電話端末から伝送品質情報を受信する第一中継伝送品質情報受信部と、前記情報を受信する第一中継情報受信部と、前記第一中継情報受信部が受信した情報を前記第二中継装置に送信する第一中継情報送信部と、前記伝送品質情報を前記第二中継装置に送信する第一中継伝送品質情報送信部を具備し、前記第二中継装置は、前記第一中継装置から伝送品質情報を受信する伝送品質情報を第二中継伝送品質情報受信部と、前記伝送品質情報を前記第二テレビ電話端末に送信する第二中継伝送品質情報送信部と、前記第一中継装置から情報を受信する第二中継情報受信部と、前記第二中継情報受信部が受信した情報を前記第二テレビ電話端末に送信する第二中継情報送信部を具備し、前記第二テレビ電話端末は、前記第二中継装置から情報を受信する第二情報受信部と、前記伝送品質情報を前記第二中継装置から受信する伝送品質情報受信部と、前記伝送品質情報に基づいて前記情報の変更方法を決定する変更方法決定部と、前記変更方法に基づいて、前記第二情報受信部が受信した情報を変更する情報変更部と、前記情報変更部が変更した情報が有する映像を出力する第二映像出力部と、前記情報変更部が変更した情報が有する音声を出力する第二音声出力部を具備するものである。
【００２０】
かかる構成により、伝送品質の変化に応じて、映像および音声を有する情報を変更できる。これにより、伝送品質に応じた最適な品質による通話を実現できる。また、映像および音声を有する情報を受信する第二テレビ電話端末が、伝送品質に応じて、映像および音声を有する情報を変更するようにしたので、映像および音声を有する情報を受信するユーザが、現在出力されている映像や音声の出力モードを見て出力モードの変更の要否を判断して、スイッチや、ディスプレイに表示されるメニュー等を操作して出力モードを切り替えることにより、伝送品質に応じた映像や音声の変更を行うか否かの選択を行えるようにすることができる。これにより、ユーザの好みに適応した映像および音声を提供することが可能となる。また、第一テレビ電話端末の取得した伝送品質に基づいて、映像および音声を有する情報を変更するようにしたので、第二テレビ電話端末のユーザが、表示される
映像や音声から、第一テレビ電話端末が取得している伝送品質を把握することが可能となる。
【００２１】
また、本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部と、伝送品質を取得する伝送品質取得部と、前記伝送品質に関する情報である伝送品質情報を構成し、当該伝送品質情報を前記第一中継装置に送信する伝送品質情報送信部を具備し、前記第一中継装置は、前記第一テレビ電話端末から伝送品質情報を受信する第一中継伝送品質情報受信部と、前記情報を受信する第一中継情報受信部と、前記第一中継情報受信部が受信した情報を前記第二中継装置に送信する第一中継情報送信部と、前記伝送品質情報を前記第二中継装置に送信する第一中継伝送品質情報送信部を具備し、前記第二中継装置は、前記第一中継装置から情報を受信する第二中継情報受信部と、前記伝送品質情報を前記第一中継装置から受信する伝送品質情報受信部と、前記伝送品質情報に基づいて前記情報の変更方法を決定する変更方法決定部と、前記変更方法に基づいて、前記第二情報受信部が受信した情報を変更する情報変更部と、前記情報変更部が変更した情報を前記第二テレビ電話端末に送信する第二中継情報送信部を具備し、前記第二テレビ電話端末は、前記第二中継装置から情報を受信する第二情報受信部と、前記第二情報受信部が受信した情報が有する映像を出力する第二映像出力部と、前記第二情報受信部が受信した情報が有する音声を出力する第二音声出力部を具備するものである。
【００２２】
かかる構成により、伝送品質の変化に応じて、映像および音声を有する情報を変更できる。これにより、伝送品質に応じた最適な品質による通話を実現できる。また、映像および音声を有する情報の変更を、第一テレビ電話端末や第二テレビ電話端末で行わなくてよいため、第一テレビ電話端末や第二テレビ電話端末が高性能なプロセッサ等を備える必要が無くなり、第一テレビ電話端末や第二テレビ電話端末を安価に提供することができる。また、第一テレビ電話端末と第一中継装置との間の伝送品質に基づいて、映像および音声を有する情報を変更するようにしたので、第二テレビ電話端末のユーザが、表示される映像や音声から、第一テレビ電話端末が取得している伝送品質を把握することが可能となる。
【００２３】
また、この発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部を具備し、前記第一中継装置は、前記情報を受信する第一中継情報受信部と、伝送品質を取得する伝送品質取得部と、前記伝送品質に基づいて前記情報の変更方法を決定する変更方法決定部と、前記変更方法に基づいて、前記第一中継情報受信部が受信した情報を変更する情報変更部と、前記情報変更部が変更した情報を前記第二中継装置に送信する第一中継情報送信部を具備し、前記第二中継装置は、前記第一中継装置から情報を受信する第二中継情報受信部と、前記第二中継情報受信部が受信した情報を前記第二テレビ電話端末に送信する第二中継情報送信部を具備し、前記第二テレビ電話端末は、前記第二中継装置から情報を受信する第二情報受信部と、前記第二情報受信部が受信した情報が有する映像を出力する第二映像出力部と、前記第二情報受信部が受信した情報が有する音声を出力する第二音声出力部を具備するものである。
【００２４】
かかる構成により、伝送品質の変化に応じて、映像および音声を有する情報を変更できる。これにより、伝送品質に応じた最適な品質による通話を実現できる。また、映像および音声を有する情報を変更する処理を、第一テレビ電話端末および第二テレビ電話端末で
行わなくてよいため、第一テレビ電話端末および第二テレビ電話端末が高性能なプロセッサ等を備える必要が無くなり、第一テレビ電話端末および第二テレビ電話端末を安価に提供することができる。
【００２５】
また、本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を構成し、送信する第一情報送信部と、前記第一中継装置から伝送品質に関する情報である伝送品質情報を受信する伝送品質情報受信部と、前記伝送品質情報に基づいて前記情報の変更方法を決定する変更方法決定部と、前記変更方法に基づいて、前記第一情報送信部が構成した情報を変更する情報変更部を具備し、前記第一中継装置は、前記情報を受信する第一中継情報受信部と、前記第一中継情報受信部が受信した情報を前記第二中継装置に送信する第一中継情報送信部と、前記第二中継装置から伝送品質情報を受信する第一中継伝送品質情報受信部と、前記伝送品質情報を前記第一テレビ電話端末に送信する第一中継伝送品質情報送信部を具備し、前記第二中継装置は、前記第一中継装置から情報を受信する第二中継情報受信部と、前記第二中継情報受信部が受信した情報を前記第二テレビ電話端末に送信する第二中継情報送信部と、伝送品質を取得する伝送品質取得部と、前記伝送品質に関する情報である伝送品質情報を構成し、当該伝送品質情報を前記第一中継装置に送信する伝送品質情報送信部を具備し、前記第二テレビ電話端末は、前記第二中継装置から情報を受信する第二情報受信部と、前記第二情報受信部が受信した情報が有する映像を出力する第二映像出力部と、前記第二情報受信部が受信した情報が有する音声を出力する第二音声出力部を具備するものである。
【００２６】
かかる構成により、第二中継装置と第二テレビ電話端末との間の伝送品質の変化に応じて、映像および音声を有する情報を変更できる。これにより、伝送品質に応じた最適な品質による通話を実現できる。また、映像および音声を有する情報を送信する第一テレビ電話端末が、伝送品質に応じて、映像および音声を有する情報を変更するようにしたので、映像および音声を有する情報を送信するユーザが、現在出力されている映像や音声の出力モードを見て出力モードの変更の要否を判断して、スイッチや、ディスプレイに表示されるメニュー等を操作して出力モードを切り替えることにより、伝送品質に応じた映像や音声の変更を行うか否かの選択を行えるようにすることができる。これにより、ユーザの好みに適応した映像および音声を提供することが可能となる。
【００２７】
また、この発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部を具備し、前記第一中継装置は、伝送品質を取得する伝送品質取得部と、前記伝送品質に関する情報である伝送品質情報を構成し、当該伝送品質情報を前記第一中継装置に送信する伝送品質情報送信部と、前記情報を受信する第一中継情報受信部と、前記第一中継情報受信部が受信した情報を前記第二中継装置に送信する第一中継情報送信部を具備し、前記第二中継装置は、前記第一中継装置から伝送品質情報を受信する伝送品質情報を中継伝送品質情報受信部と、前記伝送品質情報を前記第二テレビ電話端末に送信する中継伝送品質情報送信部と、前記第一中継装置から情報を受信する第二中継情報受信部と、前記第二中継情報受信部が受信した情報を前記第二テレビ電話端末に送信する第二中継情報送信部を具備し、前記第二テレビ電話端末は、前記第二中継装置から情報を受信する第二情報受信部と、伝送品質情報を前記第二中継装置から受信する伝送品質情報受信部と、前記伝送品質情報に基づいて前記情報の変更方法を決定する変更方法決定部と、前記変更方法に基づいて、前記第二情報受信部が受信した情報を変更する情報変更部と、前記情報変更部が変更した情報が有する映像を出力する第二映像出力部と、前記情報変更部が変更した情報が有する音声を出力する第二音声
出力部を具備するものである。
【００２８】
かかる構成により、伝送品質の変化に応じて、映像および音声を有する情報を変更できる。これにより、伝送品質に応じた最適な品質による通話を実現できる。また、第二テレビ電話端末が、伝送品質に応じて、映像および音声を有する情報を変更するようにしたので、映像および音声を有する情報を受信するユーザが、現在出力されている映像や音声の出力モードを見て出力モードの変更の要否を判断して、スイッチや、ディスプレイに表示されるメニュー等を操作して出力モードを切り替えることにより、伝送品質に応じた映像や音声の変更を行うか否かの選択を行えるようにすることができる。これにより、ユーザの好みに適応した映像および音声を提供することが可能となる。
【００２９】
また、本発明に係る情報処理システムは、第一テレビ電話端末と第一中継装置と第二中継装置と第二テレビ電話端末を具備する情報処理システムであって、前記第一テレビ電話端末は、映像を取得する第一映像取得部と、音声を取得する第一音声取得部と、前記映像および前記音声を有する情報を送信する第一情報送信部を具備し、前記第一中継装置は、伝送品質を取得する伝送品質取得部と、前記伝送品質に関する情報である伝送品質情報を構成し、当該伝送品質情報を前記第一中継装置に送信する伝送品質情報送信部と、前記情報を受信する第一中継情報受信部と、前記第一中継情報受信部が受信した情報を前記第二中継装置に送信する第一中継情報送信部を具備し、前記第二中継装置は、前記第一中継装置から情報を受信する第二中継情報受信部と、前記伝送品質情報を前記第一中継装置から受信する伝送品質情報受信部と、前記伝送品質情報に基づいて前記情報の変更方法を決定する変更方法決定部と、前記変更方法に基づいて、前記第二情報受信部が受信した情報を変更する情報変更部と、前記情報変更部が変更した情報を前記第二テレビ電話端末に送信する第二中継情報送信部を具備し、前記第二テレビ電話端末は、前記第二中継装置から情報を受信する第二情報受信部と、前記第二情報受信部が受信した情報が有する映像を出力する第二映像出力部と、前記第二情報受信部が受信した情報が有する音声を出力する第二音声出力部を具備するものである。
【００３０】
かかる構成により、伝送品質の変化に応じて、映像および音声を有する情報を変更できる。これにより、伝送品質に応じた最適な品質による通話を実現できる。また、映像および音声を有する情報の変更を、第一テレビ電話端末や第二テレビ電話端末で行わなくてよいため、第一テレビ電話端末や第二テレビ電話端末が高性能なプロセッサ等を備える必要が無くなり、第一テレビ電話端末や第二テレビ電話端末を安価に提供することができる。また、第一テレビ電話端末と第一中継装置との間の伝送品質に基づいて、映像および音声を有する情報を変更するようにしたので、第二テレビ電話端末のユーザが、表示される映像や音声から、第一テレビ電話端末が取得している伝送品質を把握することが可能となる。
【発明の効果】
【００３１】
本発明による情報処理システムによれば、伝送品質に応じた最適な品質による通話を実現することができる。
【発明を実施するための最良の形態】
【００３２】
以下、本発明の情報処理システム等の実施形態について図面を参照して説明する。なお、実施の形態において同じ符号を付した構成要素は同様の動作を行うので、再度の説明は省略する場合がある。
【００３３】
（実施の形態１）
図１は、本発明の実施の形態１に係る情報処理システムのハードウェア構成を示す概略図である。本実施の形態に係る情報処理システムは、第一テレビ電話端末１０、第一中継
装置２０、第二中継装置３０、及び第二テレビ電話端末４０を備えている。
【００３４】
第一テレビ電話端末１０と、第一中継装置２０とは、ネットワーク５を介して接続されている。第一中継装置２０と、第二中継装置３０とは、ネットワーク６を介して接続されている。第二中継装置３０と、第二テレビ電話端末とは、ネットワーク７を介して接続されている。ネットワーク５、６、及び７は、それぞれ、例えば、無線または有線の公衆電話網や、ＩＰプロトコル等を利用した無線または有線のネットワーク等である。
【００３５】
図２は、本発明の実施の形態１に係る情報処理システムの構成を示すブロック図である。図において、図１と同一符号は同一または相当する部分を示している。本実施の形態に係る情報処理システムは、第一テレビ電話端末１０、第一中継装置２０、第二中継装置３０、及び第二テレビ電話端末４０を備えている。
【００３６】
第一テレビ電話端末１０は、第一映像取得部１１と、第一音声取得部１２と、第一情報送信部１３とを備えている。第一テレビ電話端末１０は、例えば、携帯型のテレビ電話端末や、固定設置型のテレビ電話端末等で実現され得る。なお、第一テレビ電話端末１０は、テレビ電話専用の端末でなくてもよく、テレビ電話機能を有する携帯電話やＰＤＡ（ｐｅｒｓｏｎａｌ  ｄｉｇｉｔａｌ  ａｓｓｉｓｔ）、ＰＣ（ｐｅｒｓｏｎａｌ  ｃｏｍｐｕｔｅｒ）等であってもよい。
【００３７】
第一映像取得部１１は、映像を取得する。第一映像取得部１１は、例えば、映像を、電気信号や光信号等の信号として取得する。この信号のデータ構造は問わない。映像は、動画像や、静止画像、あるいは、定期的または不定期に更新される静止画像等、どのようなものであってもよい。第一映像取得部１１は、入力デバイスを含むと考えても含まないと考えてもよい。第一映像取得部１１は、入力デバイスのドライバソフト、または、入力デバイスのドライバソフトと入力デバイス等で構成される。入力デバイスは、ＣＣＤ等の撮像素子を備えたカメラ等で実現され得る。
【００３８】
第一音声取得部１２は、音声を取得する。第一音声取得部１２は、例えば、音声を、電気信号や光信号等の信号として取得する。この信号のデータ構造は問わない。第一音声取得部１２は、入力デバイスを含むと考えても含まないと考えてもよい。第一音声取得部１２は、入力デバイスのドライバソフト、または、入力デバイスのドライバソフトと入力デバイス等で構成される。入力デバイスは、マイクロフォン等により実現される。
【００３９】
第一情報送信部１３は、第一映像取得部１１および第一音声取得部１２が取得した映像および音声を有する情報を送信する。第一情報送信部１３は、例えば、第一映像取得部１１および第一音声取得部１２が取得した映像および音声の信号から、映像および音声を有する情報（以下、映像音声情報と称す）を構成する。そして、この映像音声情報を、ネットワーク５を介して第一中継装置２０に送信する。第一情報送信部１３は、例えば、第一映像取得部１１および第一音声取得部１２が出力する映像および音声の信号を、ＭＰＥＧ−４等のコーデックを用いて符号化して、映像音声情報を作成してもよいし、多重化して映像音声情報を構成してもよい。また、データ圧縮して映像音声情報を構成してもよい。また、第一情報送信部１３が作成する映像音声情報は、アナログデータであっても、デジタルデータであってもよく、そのデータ構造は問わない。第一情報送信部１３は、有線または無線の通信手段、または放送手段等により実現され得る。また、第一情報送信部１３は、情報を符号化する符号化器、情報を変調する変調器、メモリ、ＭＰＵ等の少なくとも一つを備えていてもよい。なお、符号化器や変調器については、公知技術であるので、説明は省略する。かかることは他の実施の形態においても同様である。
【００４０】
第一中継装置２０は、第一中継情報受信部２１と、第一中継情報送信部２２とを備えて
いる。第一中継装置２０は、例えば、公衆電話網の交換機や、携帯電話の基地局、あるいはネットワークサーバや、ルータ等により実現され得る。
【００４１】
第一中継情報受信部２１は、第一テレビ電話端末１０から送信される映像音声情報を受信する。第一中継情報受信部２１は、有線または無線の通信手段、または放送手段等により実現され得る。また、第一中継情報受信部２１は、メモリやＭＰＵ等を備えていてもよい。
【００４２】
第一中継情報送信部２２は、第一中継情報受信部２１が受信した映像音声情報を、第二中継装置３０に送信する。第一中継情報送信部２２は、第一中継情報受信部２１が受信した映像音声情報を、ネットワーク６を介して送信する。なお、送信する際に、第一中継情報受信部２１の受信した映像音声情報を、第一中継情報送信部２２がそれ自身で、あるいは他の装置等を利用して、符号化や復号したり、圧縮や伸張したり、変調や復調したりしてもよい。また、第二中継装置３０に対しては、映像音声情報を直接送信しなくてもよく、例えば、ネットワーク６上の他のサーバや交換機、ルータ等のネットワーク機器等を介して映像音声情報を間接的に送信するようにしてもよい。第一中継情報送信部２２は、有線または無線の通信手段、または放送手段等により実現され得る。また、第一中継情報送信部２２は、メモリやＭＰＵ等を備えていてもよい。
【００４３】
第二中継装置３０は、第二中継情報受信部３１と、第二中継情報送信部３２とを備えている。第二中継装置３０は、例えば、公衆電話網の交換機や、携帯電話の基地局、あるいはネットワークサーバや、ルータ等により実現され得る。
【００４４】
第二中継情報受信部３１は、第一中継装置２０から直接、あるいは間接的に送信された映像音声情報を受信する。第二中継情報受信部３１は、有線または無線の通信手段、または放送手段等により実現され得る。また、第二中継情報受信部３１は、メモリやＭＰＵ等を備えていてもよい。
【００４５】
第二中継情報送信部３２は、第二中継情報受信部３１が受信した映像音声情報を、第二テレビ電話端末４０に送信する。第二中継情報送信部３２は、第二中継情報受信部３１が受信した情報を、ネットワーク７を介して送信する。なお、送信する際に、第二中継情報受信部３１が受信した映像音声情報を、第二中継情報送信部３２がそれ自身で、あるいは他の装置等を利用して、符号化や復号したり、圧縮や伸張したり、変調や復調したりしてもよい。符号化したり、圧縮したり、変調したりしてもよい。第二中継情報送信部３２は、有線または無線の通信手段、または放送手段等により実現され得る。また、第二中継情報送信部３２は、メモリやＭＰＵ等を備えていてもよい。
【００４６】
第二テレビ電話端末４０は、伝送品質取得部４１と、第二情報受信部４２と、変更方法決定部４３と、情報変更部４４と、第二映像出力部４５と、第二音声出力部４６を備えている。第二テレビ電話端末４０は、例えば、携帯型のテレビ電話端末や、固定設置型のテレビ電話端末等で実現され得る。なお、第二テレビ電話端末４０は、テレビ電話専用の端末でなくてもよく、テレビ電話機能を有する携帯電話やＰＤＡ、ＰＣ等であってもよい。
【００４７】
伝送品質取得部４１は、伝送品質を取得する。ここでは、ネットワーク７を介して第二情報受信部４２が受信する映像音声情報の伝送品質を取得する。伝送品質は、情報等が伝送される場合における、伝送した情報等が正しく伝わるかを示すための尺度である。例えば、受信エラー率や、受信される信号の強度、受信された信号における雑音量、通信速度、情報等の伝送が無線のネットワークを媒介として行われる場合には、送受信される電波の強度等で表され得る。伝送品質を表す情報のデータ構造は問わない。なお、本実施の形態においては、映像音声情報の伝送品質は、実際に受信された映像音声情報から得られる
伝送品質に限らず、映像音声情報が伝送された場合に得られると考えられる伝送品質であってもよい。したがって、実際に受信される映像音声情報に基づいて取得する必要はない。また、映像音声情報以外の受信される情報等から取得したものであってもよい。また、情報以外のもの、例えば、情報を送信する際の送信電力等から伝送品質を取得してもよい。たとえば、映像音声情報が受信される伝送路と同じ伝送路に送受信される映像音声情報以外の情報の伝送品質を、映像音声情報の伝送品質として、取得するようにしてもよい。また、映像音声情報が無線のネットワークを介して受信される場合、映像音声情報を受信する装置等における電波の受信電界強度を伝送品質として取得してもよい。伝送品質は、実測値等の連続した値として取得するようにしてもよいし、「高」「低」などのように実測値を、あらかじめ設定したしきい値等を用いて多段階の非連続な値に変更した値として取得するようにしてもよい。なお、前記のような受信エラー率や、受信電界強度等の取得方法については、公知技術であるので、説明は省略する。伝送品質取得部４１は、有線または無線の通信手段、または放送手段等により実現され得る。また、伝送品質取得部４１は、メモリやＭＰＵ等を備えていてもよい。なお、本実施の形態においては、伝送品質取得部４１は、ネットワーク７と直接接続されており、ネットワーク７から伝送品質を取得しているが、第二情報受信部４２経由で得られる情報等から伝送品質を取得するようにしてもよい。
【００４８】
第二情報受信部４２は、第二中継装置３０から映像音声情報を受信する。そして、受信した映像音声情報を情報変更部４４、または第二映像出力部４５および第二音声出力部４６に出力する。第二情報受信部４２は、例えば、受信した映像音声情報が、符号化されたり、多重化されたり、変調されたり、圧縮されたりしたものである場合には、復号や分配、復調や伸張等を、必要に応じて行うようにしてもよい。例えば、受信した情報が、ＭＰＥＧ−４等を用いて符号化されたものである場合には、受信した情報に対して、ＭＰＥＧ−４に対応した復号を行うようにしてもよい。第二情報受信部４２は、有線または無線の通信手段、または放送手段等により実現され得る。また、第二情報受信部４２は、復号器や、分配器や、復調器、メモリ、ＭＰＵ等の少なくとも一つを備えていてもよい。
【００４９】
変更方法決定部４３は、伝送品質取得部４１が取得した伝送品質に基づいて、第二情報受信部４２が受信した映像音声情報の変更方法を決定する。本実施の形態では、例として、第二情報受信部４２が受信した映像音声情報に対し、伝送品質に応じた最適な映像および音声が出力されるような変更が行われるような変更方法を決定する。最適な映像および音声とは、例えば、ユーザが通話を行う上で視聴覚的な不具合を感じにくい映像および音声や、ユーザが通話によって伝えたい情報がより正確に通話先に伝わるような映像および音声である。映像音声情報の変更方法は、例えば、映像の解像度の変更や、映像の表示サイズの変更や、フレームレートの変更、映像表示の有無の変更、表示画素のビット数の変更等、どのような変更方法であってもよい。例えば、伝送品質が低いと判定される場合には、伝送品質に基づいて、映像の解像度を下げる等の変更が行われる。この変更は映像の変更のみに限らず、ステレオ音声からモノラル音声への変更、音質の変更、音声のビット数の変更、ノイズ除去処理方法の変更等の音声に対する変更であってもよい。また、映像の変更は行わず、音声のみを変更するようにしてもよい。また、これらの変更のうちのいくつかを組み合わせた変更を行うようにしてもよい。また、その変更は、伝送品質の高低に対応した二段階の変更であってもよいし、多段階の変更や、連続した変更であってもよい。変更方法決定部４３は、どのように映像音声情報の変更方法を決定するようにしてもよい。例えば、メモリ等に、伝送品質と、その伝送品質に対応する、情報の変更方法とを有する変更方法指定テーブルを格納しており、この変更方法指定テーブルから、伝送品質取得部４１が取得した伝送品質に応じた、情報の変更方法を決定するようにしてもよい。また、伝送品質を示す値等から、演算により情報の変更方法を決定するようにしてもよい。変更方法決定部４３は、メモリやＭＰＵ等により実現され得る。
【００５０】
情報変更部４４は、第二情報受信部４２が受信し、必要に応じて復号等が行われた映像音声情報を、変更方法決定部４３の決定した変更方法に基づいて、変更方法に合致するように変更する。情報変更部４４は、例えば、映像音声情報に対し、それ自身で、あるいは他の装置等を利用して、符号化や復号、多重化や分配、圧縮や伸張、変調や復調を行う。情報変更部４４は、メモリやＭＰＵ等により実現され得る。また、情報変更部４４は、情報を符号化する符号化器、符号化された情報を複合する復号器、情報を多重化する多重化器、多重化された情報を分配する分配器、情報をデータ圧縮する圧縮器、データ圧縮された情報を伸張する伸張器、データを変調する変調器、変調されたデータを復調する復調器のうちの少なくとも一つを含んでいてもよい。なお、符号化器、復号器、多重化器、分配器、圧縮器、伸張器、変調器、および復調器については、公知技術であるので説明は省略する。かかることは他の実施の形態においても同様である。
【００５１】
第二映像出力部４５は、情報変更部４４が変更した映像音声情報が有する映像を出力する。また、情報変更部４４による変更が行われない場合には、第二情報受信部４２の受信した映像音声情報が有する映像を出力する。映像音声情報からは、例えば、映像を出力するために必要な情報が、電気信号や光信号等の信号として取り出される。この信号のデータ構造は問わない。第二映像出力部４５は、出力デバイスを含むと考えても含まないと考えてもよい。例えば、映像を出力するために必要な情報を、他の映像を出力する装置に送信してもよい。第二映像出力部４５は、出力デバイスのドライバソフト、または、出力デバイスのドライバソフトと入力デバイス等で構成される。出力デバイスは、液晶や、ＣＲＴ等のディスプレイで実現され得る。
【００５２】
第二音声出力部４６は、情報変更部４４が変更した映像音声情報が有する音声を出力する。また、情報変更部４４による変更が行われない場合には、第二情報受信部４２の受信した映像音声情報が有する音声を出力する。映像音声情報からは、例えば、音声を出力するために必要な情報が、電気信号や光信号等の信号として取り出される。この信号のデータ構造は問わない。第二音声出力部４６は、出力デバイスを含むと考えても含まないと考えてもよい。例えば、音声を出力するために必要な情報を、他の音声を出力する装置に送信してもよい。第二音声出力部４６は、出力デバイスのドライバソフト、または、出力デバイスのドライバソフトと出力デバイス等で構成される。出力デバイスは、スピーカー等で実現され得る。
【００５３】
なお、本実施の形態に係る情報処理システムにおいては、第一テレビ電話端末１０と第二テレビ電話端末４０との間で通話を可能とするための構成および方法は問わない。このため、詳細な構成等の説明は省略しているが、本実施の形態に係る情報処理システムは、第一テレビ電話端末１０と第二テレビ電話端末４０との間で通話を可能とするための手段等を備えている。例えば、情報処理システムは、一般的な電話と同様の、ダイヤル等の通話先の電話番号を指定するための手段や、その通話先に対して、接続を要求するための信号を出力する手段や、呼び出しを行うための手段や、接続の要求を受け入れる信号を出力する手段等の、第一テレビ電話端末１０と第二テレビ電話端末４０との間で通話を可能とするための手段を備えている。また、第一テレビ電話端末１０、第一中継装置２０、第二中継装置３０、第二テレビ電話端末４０は、現在、通話可能な状態、すなわち、通話中であることを判断することが可能である。このような判断は、例えば、第二テレビ電話端末４０通話を受け入れた場合に出力する情報や、端末や装置間で送受信される通話が行われていることを示す情報等に基づいて行われる。なお、第一テレビ電話端末１０、第一中継装置２０、第二中継装置３０、第二テレビ電話端末４０が、それぞれどのようにして通話中であるかを判断するかは問わない。
【００５４】
以下、第一テレビ電話端末１０と第二テレビ電話端末４０との間で通話を可能とするための方法についての一例を説明する。第一テレビ電話端末１０が、ユーザから入力された
通話先の電話番号を、ネットワーク５を通じて、パルス信号や、トーン信号等の信号に変換して、第一中継装置２０に送信する。第一中継装置２０は、第一テレビ電話端末１０から送信された通話先の電話番号に基づいて、ネットワーク６を通じて、第二中継装置３０に対して、電話番号が指定する通話先との接続を要求する接続要求信号を送信する。第二中継装置３０は、ネットワーク７を通じて、電話番号が指定する通信先との接続を要求する接続要求信号を、第二テレビ電話端末４０に対して送信する。第二テレビ電話端末４０は、接続要求信号に応じて、呼び出し音を鳴らすなどにより、ユーザの呼び出しを行う。受話器を取る、あるいは、通話ボタンを押すなどにより、ユーザが通話を受け入れる指示を第二テレビ電話端末４０に出すと、第二テレビ電話端末４０は、第一中継装置２０および第二中継装置３０に第一テレビ電話端末１０に対して通話を受け入れることを示す情報を出力する。そして、第一テレビ電話端末１０と第二テレビ電話端末４０とが接続され、両者間で通話が可能となる。
なお、上記の通話を可能とするための手段や、方法等の説明は一例であって、他の手段等を用いて通話を可能な状態としてもよいことはいうまでもない。
【００５５】
次に、本実施の形態１に係る第一テレビ電話端末１０の動作について、図３のフローチャートを用いて説明する。
（ステップＳ３０１）第一テレビ電話端末１０が、第二テレビ電話端末４０との通話が可能な状態であるか否かを判定する。第一テレビ電話端末１０と、第二テレビ電話端末４０との間での通話が可能か否かを、第一テレビ端末１０等が判定する判定技術は、公知技術であるので、説明は省略する。かかることは、他の実施の形態においても同様である。そして、通話が可能な状態である場合、ステップＳ３０２へ進み、可能でない場合には、ステップＳ３０１に戻る。
【００５６】
（ステップＳ３０２）第一映像取得部１１および第一音声取得部１２が、それぞれ映像および音声を取得したか否か判定する。取得した場合、ステップＳ３０３に進み、取得していない場合、ステップＳ３０２に戻る。
（ステップＳ３０３）第一情報送信部１３が、第一映像取得部１１および第一音声取得部１２が取得した映像および音声から、映像音声情報を作成する。
（ステップＳ３０４）第一情報送信部１３が、映像音声情報を、第一中継装置２０に対して送信する。そして、ステップＳ３０２に戻る。
なお、図３のフローチャートにおいて、電源オフや、処理終了の割り込みにより処理は終了する。
【００５７】
次に、本実施の形態１に係る第一中継装置２０の動作について、図４のフローチャートを用いて説明する。
（ステップＳ４０１）第一中継装置２０が、第一テレビ電話端末１０と第二テレビ電話端末４０との通話が可能な状態であるか否かを判定する。通話が可能か否かを判定する判定技術は、公知技術であるので、説明は省略する。かかることは、他の実施の形態においても同様である。そして、通話が可能な状態である場合、ステップＳ４０２へ進み、可能でない場合には、ステップＳ４０１に戻る。
【００５８】
（ステップＳ４０２）第一中継情報受信部２１が、第一テレビ電話端末１０からの映像音声情報を、受信したか否かを判定する。受信した場合、ステップＳ４０３に進み、受信していない場合、ステップＳ４０２に戻る。
【００５９】
（ステップＳ４０３）第一中継情報送信部２２が、第一中継情報受信部２１が受信した映像音声情報を取得し、第二中継装置３０に対して送信する。そして、ステップＳ４０２に戻る。
なお、図４のフローチャートにおいて、電源オフや、処理終了の割り込みにより処理は
終了する。
【００６０】
次に、本実施の形態１に係る第二中継装置３０の動作について、図５のフローチャートを用いて説明する。
（ステップＳ５０１）第二中継装置３０が、第一テレビ電話端末１０と第二テレビ電話端末４０との通話が可能な状態であるか否かを判定する。通話が可能か否かを判定する判定技術は、公知技術であるので、説明は省略する。かかることは、他の実施の形態においても同様である。そして、通話が可能な状態である場合、ステップＳ５０２へ進み、可能でない場合には、ステップＳ５０１に戻る。
【００６１】
（ステップＳ５０２）第二中継情報受信部３１が、第一中継装置２０から、映像音声情報を、受信したか否かを判定する。受信した場合、ステップＳ５０３に進み、受信していない場合、ステップＳ５０２に戻る。
【００６２】
（ステップＳ５０３）第二中継情報送信部３２が、第二中継情報受信部３１の受信した情報を取得し、第二テレビ電話端末４０に対して送信する。そして、ステップＳ５０２に戻る。
なお、図５のフローチャートにおいて、電源オフや、処理終了の割り込みにより処理は終了する。
【００６３】
次に、本実施の形態１に係る第二テレビ電話端末４０の動作について、図６のフローチャートを用いて説明する。
（ステップＳ６０１）第二テレビ電話端末４０が、第一テレビ電話端末１０との通話が可能な状態であるか否かを判定する。通話が可能か否かを判定する判定技術は、公知技術であるので、説明は省略する。かかることは、他の実施の形態においても同様である。そして、通話が可能な状態である場合、ステップＳ６０２へ進み、可能でない場合には、ステップＳ６０１に戻る。
（ステップＳ６０２）伝送品質取得部４１が、ネットワーク７を介して、映像音声情報の伝送品質を取得する。
【００６４】
（ステップＳ６０３）第二情報受信部４２が、第二中継装置３０から、映像音声情報を受信したか否か判定する。受信した場合、ステップＳ６０４に進み、受信していない場合、ステップＳ６０２に戻る。なお、第二情報受信部４２が受信した映像音声情報から伝送品質を取得する場合等、必要に応じて、伝送品質を取得するステップＳ６０３の映像音声情報の受信を判定するステップを処理してから、ステップＳ６０２の伝送品質を取得するステップを行うようにしてもよい。かかることは他の実施の形態においても同様である。
【００６５】
（ステップＳ６０４）変更方法決定部４３が、伝送品質取得部４１が取得した伝送品質に基づいて、第二情報受信部４２の受信した映像音声情報に対する変更の要否を判定する。変更が必要と判定した場合、ステップＳ６０５に進み、不要と判定した場合、ステップＳ６０８へ進む。
【００６６】
（ステップＳ６０５）変更方法決定部４３が、伝送品質取得部４１が取得した伝送品質に基づいて、第二情報受信部４２の受信した映像音声情報に対する変更方法を決定する。
【００６７】
（ステップＳ６０６）情報変更部４４が、第二情報受信部４２が受信した映像音声情報を取得し、変更方法決定部４３の決定した変更方法により、この第二情報受信部４２が受信した映像音声情報を変更する。
【００６８】
（ステップＳ６０７）第二映像出力部４５および第二音声出力部４６が、情報変更部４
４の変更した映像音声情報が有する映像および音声をそれぞれ出力する。そしてステップＳ６０２に戻る。
【００６９】
（ステップＳ６０８）第二映像出力部４５および第二音声出力部４６が、第二情報受信部４２の受信した映像音声情報が有する映像および音声をそれぞれ出力する。そしてステップＳ６０２に戻る。
なお、図６のフローチャートにおいて、電源オフや、処理終了の割り込みにより処理は終了する。
【００７０】
次に、本実施の形態１に係る情報処理システムの具体例について説明する。なお、ここでは、例として、第一テレビ電話端末１０、および第二テレビ電話端末４０が、ともに携帯型のテレビ電話端末であるものとする。また、ネットワーク５およびネットワーク７が無線の公衆電話網であるものとする。また、ネットワーク６が有線の公衆電話網であり、第一中継装置２０と第二中継装置３０とが、無線の公衆電話網と、有線の公衆電話網とを接続する基地局であるものとする。また、第一映像取得部１１はカメラ、第一音声取得部１２はマイクロフォンであるとする。また、第二映像出力部４５はディスプレイ、第二音声出力部４６はスピーカーであるとする。
【００７１】
まず、第一テレビ電話端末１０と第二テレビ電話端末４０との間で通話が可能となった状態であるとする。ユーザが、第一テレビ電話端末１０の第一映像取得部１１による撮影が可能な領域に入って、第一音声取得部１２に向かって言葉をしゃべると、第一映像取得部１１がユーザを撮影した映像を取得し、第一音声取得部１２がユーザのしゃべった言葉により構成される音声とを取得する。この映像および音声を、第一情報送信部１３が、例えばＭＰＥＧ−４を利用して符号化することで、映像音声情報が作成される。そして映像音声情報が電波に変換されて、第一情報送信部１３より送信される。
【００７２】
第一中継装置２０の第一中継情報受信部２１が、無線の公衆電話網であるネットワーク５を介して第一テレビ電話端末１０から送信された映像音声情報を受信する。受信した映像音声情報を、電気信号に変換して、第一中継情報送信部２２が、有線の公衆電話網であるネットワーク６を介して第二中継装置３０に送信する。
【００７３】
第二中継装置３０の第二中継情報受信部３１が、有線の公衆電話網であるネットワーク６を介して第一中継装置２０から送信された映像音声情報を受信する。受信した映像音声情報を、第二中継情報送信部３２が、有線の公衆電話網であるネットワーク７を介して第二テレビ電話端末４０に送信する。
【００７４】
第二テレビ電話端末４０の伝送品質取得部４１は、定期的、あるいは不定期に、第二中継装置３０から送信される電波の受信電界強度を検出し、この受信電界強度を、ネットワーク７を介して受信される情報等の伝送品質として取得する。
【００７５】
第二テレビ電話端末４０の第二情報受信部４２は、無線の公衆電話網であるネットワーク７を介して映像音声情報を受信し、その受信した映像音声情報を、電気信号に変換する。そして、変換した映像音声情報に対し、ＭＰＥＧ−４に対応した復号を行う。
【００７６】
図７は、変更方法決定部４３がメモリ等に格納している変更方法指定テーブルの一例を示す図であり、変更方法指定テーブルには、伝送品質と、受信電界強度と、その伝送品質に対応した情報の変更方法が、関連付けられて格納されている。変更方法のデータは、例えば、情報変更部４４に与える指示等である。また、ここでは受信電界強度を、その強さに応じて、あらかじめ設定しておいたしきい値に基づき、「強」、「中」、「弱」の三段階に判別している。この受信電界強度の、「強」、「中」、「弱」の各段階は、それぞれ
は、伝送品質の「優」、「良」、「可」に対応する。なお、この変更方法指定テーブルに格納されている各データの形式は問わない。
【００７７】
変更方法決定部４３は、まず、伝送品質取得部４１が取得した伝送品質、ここでは受信電界強度、から、図７に示すような変更方法指定テーブルに基づいて、第二情報受信部４２が受信した情報の変更が必要か否かを判定する。
【００７８】
例えば、受信電界強度が、「強」である場合には、図７に示した変更方法指定テーブルに基づいて、変更方法決定部４３は、情報の変更が不要であると判断する。この場合、情報変更部４４は、第二情報受信部４２から出力される信号を変更しない。ここでは、変更を受けない場合の映像の表示サイズは、ＱＶＧＡ（３２０×２４０画素）サイズであるとする。また、受信電界強度が、「強」でない場合、すなわち「中」または「弱」の場合には、図７に示した変更方法指定テーブルに基づいて、変更方法決定部４３は、情報の変更が必要であると判断する。そして、この場合、図７に示した変更方法指定テーブルに基づいて、情報の変更方法が決定される。そして、その変更方法に基づいて、情報変更部４４が、第二情報受信部４２から出力される情報が変更される。
【００７９】
図８（ａ）ないし図８（ｃ）は、第二テレビ電話端末４０のディスプレイの表示例を示す図である。図８（ａ）は、受信電界強度が「強」、すなわち伝送品質が「優」である場合の表示例、図８（ｂ）は、受信電界強度が「中」、すなわち伝送品質が「良」である場合の表示例、図８（ｃ）は、受信電界強度が「弱」、すなわち伝送品質が「可」である場合の表示例を、それぞれ示している。図において、画像８ａ及び８ｂは、第二情報受信部４２が受信した情報に基づいて表示される映像である。右上隅のアンテナ表示は、受信電界強度を示しており、バーの数が多いほど、強度が強いことを示している。
【００８０】
例えば、受信電界強度が「強」である場合、図７に示すような変更方法指定テーブルに基づいて、第二情報受信部４２が受信した情報は、情報変更部４４によって変更を受けずに出力されることとなるため、図８（ａ）に示すように、ＱＶＧＡサイズの映像８ａとしてディスプレイに出力される。
【００８１】
また、受信電界強度が「中」である場合、図７に示すような変更方法指定テーブルに基づいて、第二情報受信部４２が受信した情報に対して、映像の表示サイズをＱＶＧＡサイズから、ＱＣＩＦ（１７６×１４４画素）サイズに変更を行うことを、変更方法決定部４３が決定する。そして、その変更方法に基づいて、情報変更部４４が、映像の表示サイズをＱＣＩＦサイズに変更する。そして、図８（ｂ）に示すように、ＱＣＩＦサイズの映像８ｂがディスプレイに出力される。なお、ここで変更する表示サイズは、変更前のサイズより小さいサイズであれば、他のサイズに変更するようにしてもよい。
【００８２】
また、受信電界強度が「弱」である場合、図７に示すような変更方法指定テーブルに基づいて、変更方法決定部４３は、第二情報受信部４２が受信した情報に対して、映像の表示を中止する変更を行うことを決定する。そして、その変更方法に基づいて、情報変更部４４が、映像の情報を、削除、もしくは出力不可の状態に変更する。そして、図８（ｃ）に示すように、ディスプレイには、例えば「映像非表示」等の文字が出力される。なお、映像を非表示とする代わりに、受信電界強度が「中」の場合の表示サイズよりも小さいサイズの映像を表示するようにしてもよい。
【００８３】
伝送品質が劣化した場合、受信エラー等が発生して、映像音声情報が完全に第二テレビ電話端末４０に送信されず、映像にブロックノイズ等のノイズが発生したり、不完全に表示されるフレーム等が発生して映像の表示が乱れる等の可能性が考えられる。しかし、この具体例に示すように、伝送品質の劣化に対応して、画像のサイズを下げることで、映像
のノイズや乱れ等が目立たなくなる。この結果、ユーザに視聴覚的な不具合を感じさせること無く通話を行わせることができる。また、伝送品質の劣化が大きい場合には、映像の乱れやノイズが大きくなるため、映像自体を非表示とすることにより、視聴覚的な不快感を与えないようにすることができるとともに、電話としての最低限の機能である、音声による通話を提供することができる。
【００８４】
以上、本実施の形態によれば、第二テレビ電話端末４０において、伝送品質取得部４１が取得した伝送品質に基づいて、第二情報受信部４２が受信した情報を変更して、第二映像出力部４５と、第二音声出力部４６から出力するようにした。これにより、伝送品質に応じて映像音声情報を変更でき、映像音声情報の伝送品質に応じた最適な品質による通話を実現することができる。この結果、通話時に、ユーザに対して視聴覚的な不具合を感じさせなくすることが可能となる。
【００８５】
また、本実施の形態においては、映像音声情報を受信する第二テレビ電話端末４０が、伝送品質に応じて、映像音声情報を変更している。このため、映像音声情報を変更する前に、伝送品質に応じて表示を変更する旨を、第二テレビ電話端末４０のユーザに確認するダイアログ等を、ディスプレイ等に表示するようにし、ユーザが同意する指示を出した場合にのみ、表示を変更するようにしてもよい。例えば、映像の表示サイズの変更を行うか否か、また変更を行う場合にはどのように変更を行うか等について確認を求める表示を行うようにしてもよい。これにより、映像音声情報を受信するユーザが、現在出力されている映像や音声の出力モードを見て出力モードの変更の要否を判断して、スイッチや、ディスプレイに表示されるメニュー等を操作して出力モードを切り替えることにより、伝送品質に応じた映像や音声の変更を行うか否か等の選択を行うようにすることができる。この結果、ユーザの好みに適応した映像および音声を提供することが可能となる。なお、このような処理は、第二テレビ電話端末４０に、ユーザからの出力モードを切り替える指示を受け付けるモード受付部と、モード受付部が受け付けた出力モードを切り替える指示を格納するモード格納部と、このモード格納部が格納している出力モードを切り替える指示から、出力モードを切り替えるか否か、また、切り替える場合、どのように切り替えるかを判断して、出力モードの変更をおこなうためのモード変更指示を変更方法決定部４３等に出力するモード判断部を設けることにより実現できる。モード受付部は、例えば、第二テレビ電話端末４０に設けたスイッチや、ソフトウェアによりディスプレイに表示されるメニューやボタン等により実現され得る。また、モード格納部は、揮発性または不揮発性の記憶媒体により実現され得る。また、モード判断部は、ＭＰＵやメモリ等により実現され得る。また、出力モードを切り替える指示や、モード変更指示のデータ構造は問わない。かかることは、他の実施の形態においても同様である。
【００８６】
なお、ここでは、伝送品質に応じて、映像の表示サイズを変更するようにしたが、ユーザが通話を行う上で、視聴覚的な不具合を感じにくい映像および音声、あるいは、ユーザが通話により伝えたい情報が、より正確に伝わるような映像および音声を提供できるような変更であれば、どのような変更を行うようにしてもよい。例えば、不完全なフレームの表示を目立たなくするために、映像を再生するフレームレートを変更、例えば３０ＦＰＳ（フレーム・パー・セコンド）から１５ＦＰＳに変更等、するようにしてもよい。また、ノイズ等を目立たなくするために、各画素のビット数を変更、例えば１６ビットから８ビットに変更する等、映像を表示する際の色数を増減させてもよい。また、カラー表示と、グレースケール表示とを切り替えるようにしてもよい。また、伝送品質に応じて、さらに、音声の情報を変更するようにしてもよい。例えば、伝送品質の劣化に伴う音声の劣化を目立たなくするために、音声出力をステレオ音声から、モノラル音声に変更するようにしてもよい。また、音声のビット数を変更や、ノイズ除去のために行うフィルタ処理の変更であってもよい。また、音声の情報のみに変更を与えるようにしてもよい。また、第二情報受信部４２の受信した情報に対して、一度に複数の変更を組み合わせて、適用するよう
にしてもよい。かかることは、他の実施の形態においても同様である。
【００８７】
また、ここでは、取得した伝送品質を三段階に判別するようにしたが、伝送品質を高低の二段階で判別してもよいし、四段階以上の段階で判別してもよい。また、伝送品質を連続的に判別できるようにし、伝送品質の変化に対応して、情報に対して与える変更を連続的に調整できるようにしてもよい。かかることは、他の実施の形態においても同様である。
【００８８】
また、ここでは、映像音声情報の伝送品質を、受信電界強度から判定するようにしたが、伝送品質はどのように判定してもよい。例えば、第二情報受信部４２が情報等を受信する際の、受信エラー率や、データ通信速度等から判定するようにしてもよい。かかることは、他の実施の形態においても同様である。
【００８９】
なお、本実施の形態においては、第一テレビ電話端末１０が音声および映像を取得して、これらを含む映像音声情報を送信し、第二テレビ電話端末４０が、受信した映像音声情報から、音声および映像を出力する場合について説明した。しかしながら、本発明においては、第一テレビ電話端末１０が第二テレビ電話端末４０と同様の構成をさらに有し、第二テレビ電話端末４０が第一テレビ電話端末１０と同様の構成をさらに有するようにして、双方向の通話が可能となるようにしてもよいことはいうまでもない。かかることは他の実施の形態においても同様である。
【００９０】
また、本実施の形態においては、第一テレビ電話端末１０と、第二テレビ電話端末４０との間に、第一中継装置２０及び第二中継装置３０を備えた場合について説明した。しかしながら、本発明は、第一テレビ電話端末１０と第二テレビ電話端末４０とを、ひとつのサーバ等の中継装置を介して接続した情報処理システムや、第一テレビ電話端末１０と第二テレビ電話端末４０とを、いわゆるピア・トウ・ピア接続のように、サーバ等の中継装置を介さずに接続した情報処理システムにおいても適用できるものであることはいうまでもない。かかることは、他の実施の形態においても同様である。
【００９１】
（実施の形態２）
図９は、本発明の実施の形態２に係る情報処理システムの構成を示すブロック図である。図において、図２と同一符号は同一または相当する部分を示している。本実施の形態に係る情報処理システムは、第一テレビ電話端末１０、第一中継装置２０、第二中継装置２３０、および第二テレビ電話端末２４０を備えている。
【００９２】
本実施の形態２の情報処理システムは、前記実施の形態１の情報処理システムにおいて、第二中継装置３０の代わりに第二中継装置２３０を、また、第二テレビ電話端末４０の代わりに第二テレビ電話端末２４０を、それぞれ設けるようにしたものである。なお、前記実施の形態１と同様の部分については、同一符号を付して、ここでは、その詳細な構成および動作等の説明は省略する。
【００９３】
また、本実施の形態２に係る情報処理システムのハードウェア構成については、第二中継装置３０の代わりに第二中継装置２３０を、また、第二テレビ電話端末４０の代わりに第二テレビ電話端末２４０を、それぞれ設けるようにしたこと以外は、図１に示したハードウェア構成と同様であるので、ここでは説明を省略する。
【００９４】
第二中継装置２３０は、第二中継情報受信部３１と、第二中継情報送信部３２と、伝送品質情報受信部２３３と、変更方法決定部２３４と、情報変更部２３５を備えている。第二中継装置２３０は、例えば、公衆電話網の交換機や、携帯電話の基地局、あるいはネットワークサーバや、ルータ等により実現され得る。
第二中継情報受信部３１、および第二中継情報送信部３２の構成については、前記実施の形態１と同様であるので、説明は省略する。
【００９５】
伝送品質情報受信部２３３は、伝送路の伝送品質に関する情報である伝送品質情報を、第二テレビ電話端末２４０から、ネットワーク７を介して取得する。伝送品質情報受信部２３３は、有線または無線の通信手段、または放送手段等により実現され得る。また、伝送品質情報受信部２３３は、メモリやＭＰＵ等を備えていてもよい。なお、ここでは、ネットワーク７を介して伝送品質情報を直接受信するようにしているが、伝送品質情報を受信する経路は問わない。例えば、第二中継装置２３０内の他の手段等を介するなどにより、間接的に伝送品質情報を受信するようにしてもよい。また、ネットワーク７とは異なるネットワーク経由で伝送品質情報を受信してもよい。
【００９６】
変更方法決定部２３４は、前記実施の形態１における変更方法決定部４３と同様の構成を備えている。変更方法決定部２３４は、伝送品質情報受信部２３３が受信した伝送品質情報に基づいて、第二中継情報受信部３１が受信した映像音声情報の変更方法を決定する。ここでは特に、第二中継情報受信部３１が受信した映像音声情報に対し、第二テレビ電話端末２４０が取得した伝送品質に応じた最適な映像および音声が、第二テレビ電話端末２４０において出力されるような変更が行われるような変更方法を決定する。映像音声情報の変更方法は、例えば、映像の解像度の変更や、映像の表示サイズの変更や、フレームレートの変更、映像表示の有無の変更、表示画素のビット数の変更等、どのような変更方法であってもよい。この変更は映像の変更のみに限らず、ステレオ音声からモノラル音声への変更、音質の変更、音声のビット数の変更、ノイズ除去処理方法の変更等の音声に対する変更であってもよい。また、映像音声情報の変更として、情報の送信電力の変更、情報の符号化方式の変更、情報の変調方式の変更等の変更をおこなうようにしてもよい。本実施の形態においては、映像音声情報に関する変更も、映像音声情報の変更に含むものとする。例えば、受信エラー率を伝送品質として取得している場合において、受信エラー率が高く、伝送品質が低いと判定される場合には、伝送品質に基づいて、映像音声情報の符号化方式を、エラー耐性の強い符号化方式に変更したり、映像音声情報の変調方式を、エラー耐性の強い変調方式に変更する。なお、情報の送信電力の変更とは、例えば、送信電力自体を上げることである。また、情報の符号化方式の変更とは、例えば、ＭＰＥＧ−４等の符号化方式の変更や、符号化率の変更等である。符号化率の変更とは、例えば、総伝送容量に対して、本来送りたい情報の割合を下げ、冗長性をあげることであり、このような変更は、畳み込み符号や、リードソロモン符号化等の誤り訂正方法を利用することで実現され得る。また、変調方式の変更とは、情報の変調方式をエラー発生の起こりにくさの異なる変調方式に変更することであり、この場合、総伝送容量も変化することとなる。エラーに強い変調方式としては、エラーに強い順に例を挙げると、ＱＰＳＫ（２ビット）（四位相偏移変調）、１６ＱＡＭ（４ビット）（直交振幅変調）、６４ＱＡＭ（６ビット）（直交振幅変調）等がある。また、これらの変更のうちのいくつかを組み合わせた変更を行うようにしてもよい。
【００９７】
また、情報の変更は、伝送品質の高低に対応した二段階の変更であってもよいし、多段階の変更や連続的な変更であってもよい。変更方法決定部３４は、どのように情報の変更方法を決定するようにしてもよい。例えば、メモリ等に、伝送品質と、その伝送品質に対応した情報の変更方法とを示す変更方法指定テーブルを有しており、この変更方法指定テーブルから、伝送品質情報に応じた、情報の変更方法を決定するようにしてもよい。また、伝送品質から、演算により情報の変更方法を決定するようにしてもよい。変更方法決定部４３はメモリやＭＰＵ等により実現され得る。
【００９８】
情報変更部２３５は、変更方法決定部２３４が、変更の必要があると判断した第二中継情報受信部３１の受信した映像音声情報に対し、変更方法決定部２３４が決定した変更方
法に基づいた変更を行う。ただし、変更が必要であると判断されなかった映像音声情報に対しては、変更は行わない。この情報変更部２３５が変更した情報は、第二中継情報送信部３２により取得され、第二テレビ電話端末２４０に送信される。情報変更部２３５は、メモリやＭＰＵ等により実現され得る。
【００９９】
第二テレビ電話端末２４０は、伝送品質取得部４１と、第二情報受信部４２と、伝送品質情報送信部２４７と、第二映像出力部４５と、第二音声出力部４６を備えている。第二テレビ電話端末２４０は、例えば、携帯型のテレビ電話端末や、固定設置型のテレビ電話端末等で実現され得る。なお、第二テレビ電話端末２４０は、テレビ電話専用の端末でなくてもよく、テレビ電話機能を有する携帯電話やＰＤＡ、ＰＣ等であってもよい。
第二情報受信部４２と、第二映像出力部４５と、第二音声出力部４６との構成については、前記実施の形態１と同様であるので、説明は省略する。
【０１００】
伝送品質情報送信部２４７は、伝送品質取得部４１が取得した伝送品質に基づいて、伝送品質に関する情報（以下、伝送品質情報と称す）を構成し、この伝送品質情報を、ネットワーク７経由で、第二中継装置２３０に送信する。伝送品質情報は、伝送品質を伝えることができるデータであればどのようなデータであってもよく、そのデータ構造は問わない。例えば、伝送品質を判定するために測定した測定値等をそのまま伝送品質情報としてもよいし、この測定値から閾値等に基づいて判定した値を伝送品質情報としてもよい。例えば、伝送品質が、第二テレビ電話端末２４０における受信電界強度を示す場合、伝送品質情報としては、この受信電界強度の測定値をそのまま送信してもよい。また、例えば、受信電界強度が、あらかじめ設定した数段階のレベル、例えば「強」、「中」、「弱」の三段階のレベル、のいずれの値になるかを判定して、この判定した値を、伝送品質情報として送信してもよい。なお、ここでは、伝送品質情報送信部２４７が、ネットワーク７を介して伝送品質情報を、直接、第二中継装置２３０に送信しているが、伝送品質情報を送信する経路は問わない。例えば、第二テレビ電話端末２４０内の他の手段等を介するなどにより、間接的に伝送品質情報を送信するようにしてもよい。また、ネットワーク７とは異なるネットワーク経由で伝送品質情報を送信してもよい。伝送品質情報送信部２４７は、有線または無線の通信手段、または放送手段等により実現され得る。また、伝送品質情報送信部２４７は、メモリやＭＰＵ等を備えていてもよい。
【０１０１】
以下、第二中継装置２３０の動作を、図１０のフローチャートを用いて説明する。
（ステップＳ１００１）第二中継装置３０が、第一テレビ電話端末１０と第二テレビ電話端末２４０との間で通話が可能な状態であるか否かを判定する。そして、通話が可能な状態である場合、ステップＳ１００２へ進み、可能でない場合には、ステップＳ１００１に戻る。
（ステップＳ１００２）伝送品質情報受信部２３３が、第二テレビ電話端末２４０の送信する伝送品質情報を、ネットワーク７を介して取得する。
【０１０２】
（ステップＳ１００３）第二中継情報受信部３１が、第一中継装置２０から、映像音声情報を、受信したか否かを判定する。受信した場合、ステップＳ１００４に進み、受信していない場合、ステップＳ１００２に戻る。なお、必要に応じて、ステップＳ１００３の処理を、ステップＳ１００２の処理の前に行うようにしてもよい。
【０１０３】
（ステップＳ１００４）変更方法決定部２３４が、伝送品質情報受信部２３３の受信した伝送品質情報に基づいて、第二中継情報受信部３１の受信した映像音声情報に対する変更の要否を判定する。変更が必要と判定した場合、ステップＳ１００５に進み、不要と判定した場合、ステップＳ１００８へ進む。
（ステップＳ１００５）変更方法決定部２３４が、伝送品質情報に基づいて、第二中継情報受信部３１の受信した映像音声情報の変更方法を決定する。
（ステップＳ１００６）情報変更部２３５が、変更方法決定部２３４の決定した変更方法により、第二中継情報受信部３１が受信した映像音声情報を変更する。
【０１０４】
（ステップＳ１００７）第二中継情報送信部３２が、情報変更部２３５が変更した映像音声情報を取得し、ネットワーク７経由で第二テレビ電話端末２４０に送信する。そしてステップＳ１００２に戻る。
【０１０５】
（ステップＳ１００８）第二中継情報送信部３２が、第二中継情報受信部３１が受信した映像音声情報を、ネットワーク７経由で第二テレビ電話端末２４０に送信する。そしてステップＳ１００２に戻る。
なお、図１０のフローチャートにおいて、電源オフや、処理終了の割り込みにより処理は終了する。
【０１０６】
以下、第二テレビ電話端末２４０の動作を、図１１のフローチャートを用いて説明する。
（ステップＳ１１０１）第二テレビ電話端末２４０が、第一テレビ電話端末１０との通話が可能な状態であるか否かを判定する。そして、通話が可能な状態である場合、ステップＳ１１０２へ進み、可能でない場合には、ステップＳ１１０１に戻る。
（ステップＳ１１０２）伝送品質取得部４１が、ネットワーク７を介して、映像音声情報の伝送品質を取得する。
（ステップＳ１１０３）伝送品質情報送信部２４７が、伝送品質取得部４１が取得した伝送品質に基づいて、伝送品質情報を構成する。
（ステップＳ１１０４）伝送品質情報送信部２４７が、構成した伝送品質情報を、第二中継装置２３０に対して送信する。
【０１０７】
（ステップＳ１１０５）第二情報受信部４２が、第二中継装置２３０から映像音声情報を受信したか否か判定する。受信した場合、ステップＳ１１０６に進み、受信していない場合、ステップＳ１１０２に戻る。
【０１０８】
（ステップＳ１１０６）第二映像出力部４５および第二音声出力部４６が、第二情報受信部４２が受信した映像音声信号が有する映像および音声を、それぞれ出力する。そしてステップＳ１１０２に戻る。
なお、図１１のフローチャートにおいて、電源オフや、処理終了の割り込みにより処理は終了する。
【０１０９】
以下、本実施の形態２に係る情報処理システムの具体例について説明する。なお、前記実施の形態１の情報処理システムにおいて具体例として説明した部分と、同様の部分についての説明は省略する。ここでは、例として、第二テレビ電話端末２４０が、携帯型のテレビ電話端末、第二中継装置２３０が、無線の公衆電話網と有線の公衆電話網とを接続する基地局であるものとする。
【０１１０】
第二テレビ電話端末２４０の伝送品質取得部４１は、定期的、あるいは不定期に第二中継装置２３０から送られる電波の受信電界強度を検出し、この受信電界強度を、第二情報受信部４２に対して情報等を伝送する伝送路の伝送品質として取得する。
【０１１１】
そして、伝送品質情報送信部２４７が、伝送品質取得部４１の取得した伝送品質に基づいて、伝送品質情報を構成する。ここでは、伝送品質情報を、伝送品質取得部４１が取得した受信電界強度の値とする。そして、この伝送品質情報を、ネットワーク７経由で、第二中継装置２３０に送信する。
第二中継装置２３０の伝送品質情報受信部２３３は、伝送品質情報送信部２４７から送
信される伝送品質情報を受信する。
【０１１２】
図１２は、変更方法決定部２３４がメモリ等に格納している変更方法指定テーブルを示す図であり、変更方法指定テーブルには、伝送品質と、伝送品質に関する情報として受信される受信電界強度と、その伝送品質に対応した情報の変更方法が、関連付けられて格納されている。変更方法のデータは、例えば、情報変更部２３５に与える指示等である。また、ここでは受信電界強度を、その強さに応じて、「強」、「中」、「弱」の三段階に判別しており、それぞれは、伝送品質の「優」、「良」、「可」に対応する。このテーブルに格納されている各データの形式は問わない。
【０１１３】
第二中継情報受信部３１が映像音声情報を受信すると、変更方法決定部２３４は、伝送品質情報受信部２３３が受信した伝送品質に関する情報から、図１２に示すような変更方法指定テーブルに基づいて、第二中継情報受信部３１が受信した情報の変更が必要か否かを判定する。そして、必要な場合、第二中継情報受信部３１が受信した映像音声情報に対して行われる変更方法を決定する。
【０１１４】
例えば、ネットワーク７を介してデータを伝送する際の、データの変調方式の初期設定が６４ＱＡＭであったとすると、伝送品質に関する情報から得られる受信電界強度が、「強」である場合には、図１２に示した変更方法指定テーブルに基づいて、変更方法決定部２３４が、映像音声情報の変更は不要であると決定する。また、受信電界強度が、「中」または「弱」の場合には、変更方法決定部４３は、映像音声情報の変更が必要であると決定する。そして、「中」の場合には、図１２に示した変更方法指定テーブルに基づいて、映像音声情報の変調方式を、６４ＱＡＭよりもエラーの発生しにくい１６ＱＡＭに変更することを決定する。また、受信電界強度が、「弱」の場合には、変更方法決定部４３は、図１２に示した変更方法指定テーブルに基づいて、映像音声情報の変調方式を、１６ＱＡＭよりもエラーの発生しにくいＱＰＳＫに変更することを決定する。
そして、変更方法決定部２３４において決定された変更方法に基づいて、情報変更部２３５が、第二中継情報受信部３１が受信した映像音声情報を変更する。
【０１１５】
情報変更部２３５が変更した映像音声情報は、第二中継情報送信部３２より、無線の公衆電話網であるネットワーク７を介して、第二テレビ電話端末２４０の第二情報受信部４２に送信される。
【０１１６】
また、変更方法決定部２３４が、変更が不要であると決定した場合には、情報変更部２３５は、第二中継情報受信部３１が受信した映像音声情報に変更を加えない。そして、映像音声情報を、第二中継情報送信部３２が、無線の公衆電話網であるネットワーク７を介して、第二テレビ電話端末２４０の第二情報受信部４２に送信する。
【０１１７】
第二テレビ電話端末２４０の第二情報受信部４２は、受信した映像音声情報を、電気信号に変換し、変換した映像音声情報に対し、ＭＰＥＧ−４に対応した復号を行う。そして、第二映像出力部４５から、復号された映像音声情報が有する映像が出力される。また、第二音声出力部４６から、復号された映像音声情報が有する音声が出力される。
【０１１８】
図１３（ａ）ないし図１３（ｃ）は、第二テレビ電話端末２４０のディスプレイの表示例を示す図である。図１３（ａ）は、受信電界強度が「強」、すなわち伝送品質が「優」である場合の表示例、図１３（ｂ）は、受信電界強度が「中」、すなわち伝送品質が「良」である場合の表示例、図１３（ｃ）は、受信電界強度が「弱」、すなわち伝送品質が「可」である場合の表示例を、それぞれ示している。図において、表示１３０ａないし１３０ｃは、第二情報受信部４２が受信した情報に基づいて表示される映像である。右上隅のアンテナ表示は、受信電界強度を示している。
【０１１９】
例えば、受信電界強度が「強」である場合、図１３（ａ）に示すように、情報変更部２３５は、第二中継情報受信部３１が受信した映像音声情報に対して変更を行わず、第二中継情報受信部３１が受信した映像音声情報が、６４ＱＡＭの変調方式で出力される。これにより、この映像音声情報を受信した第二テレビ電話端末２４０のディスプレイには、６４ＱＡＭの変調方式により変調され、送信された映像情報に基づく表示１３０ａが出力される。
【０１２０】
また、受信電界強度が「中」である場合、図１３（ｂ）に示すように、情報変更部２３５が、第二中継情報受信部３１の受信した映像音声情報の変調方式を１６ＱＡＭに変更する。そして、この変更された映像音声情報を、第二中継情報送信部３２が送信する。これにより、この映像音声情報を受信した第二テレビ電話端末２４０のディスプレイには、１６ＱＡＭの変調方式により変調され、送信された映像情報に基づく表示１３０ｂが出力される。
【０１２１】
また、受信電界強度が「弱」である場合、図１３（ｃ）に示すように、情報変更部２３５が、第二中継情報受信部３１の受信した映像音声情報の変調方式をＱＰＳＫに変更する。そして、この変更された映像音声情報を、第２中継情報送信部３２が送信する。これにより、この映像音声情報を受信した第二テレビ電話端末２４０のディスプレイには、ＱＰＳＫの変調方式により変調され、送信された映像情報に基づく表示１３０ｃが出力される。
【０１２２】
伝送品質が劣化した場合、受信エラー等が発生しやすくなり、映像音声情報が完全に第二テレビ電話端末４０に送信されず、映像にブロックノイズ等のノイズが発生したり、不完全に表示されるフレーム等が発生して映像の表示が乱れる等の可能性が考えられる。しかし、この具体例に示すように、伝送品質の劣化に対応して、エラー発生の起こりにくい変調方式に変更することで、受信エラーの発生を減らすことができ、映像のノイズや乱れ等をなくすことができる。この結果、ユーザに視聴覚的な不具合を感じさせること無く通話を行わせることができる。
【０１２３】
以上、本実施の形態によれば、第二テレビ電話端末２４０の伝送品質取得部４１が取得した伝送品質に基づき、第二中継装置２３０の情報変更部２３５が、第二中継情報受信部３１の受信した映像音声情報を変更し、この変更された映像音声情報を第二テレビ電話端末２４０に送信するようにした。そして、第二テレビ電話端末２４０においては、この変更された映像音声情報の有する映像および音声を、第二映像出力部４５および第二音声出力部４６から出力するようにした。これにより、伝送品質に応じて映像音声情報を変更でき、映像音声情報の伝送品質に応じた最適な品質による通話を実現することができる。この結果、通話時に、ユーザに対して視聴覚的な不具合を感じさせなくすることが可能となる。
【０１２４】
また、本実施の形態によれば、第二中継装置２３０において、映像音声情報の変更を行うようにしている。通常、映像音声情報の変更は、情報の処理量が多く、処理自体も複雑であるため、高性能なプロセッサ等が要求される。このような処理を、第二テレビ電話端末で行わなくてよいため、第二テレビ電話端末が高性能なプロセッサ等を備える必要が無くなり、第二テレビ電話端末を安価に提供することができる。
【０１２５】
なお、本実施の形態２の具体例においては、映像音声情報の伝送に利用する変調方式を、６４ＱＡＭ、１６ＱＡＭ、ＱＰＳＫのいずれかに切り替えられるようにした。しかしながら、本発明においては、伝送品質の劣化に応じて、エラーの発生を起こりにくくすることができれば、これら以外の他の変調方式にきりかえられるようにしてもよいことはいう
までもない。
【０１２６】
また、本実施の形態２の具体例においては、伝送品質に応じて、映像音声情報の変調方式を変更するようにしたが、ユーザが通話を行う上で視聴覚的な不具合を感じにくい映像および音声を提供できる変更であれば、第二中継装置２３０においてどのような変更を映像音声情報に行うようにしてもよい。例えば、前記実施の形態１と同様の、映像の表示サイズや、フレームレート、映像表示の有無、表示画素のビット数等の映像に対する変更や、音質、音声のビット数、ノイズ除去処理方法の変更や、ステレオ音声からモノラル音声への変更等の音声に対する変更等の変更を行ってもよい。
【０１２７】
また、第二中継装置２３０において行う映像音声情報に対する変更としては、ネットワーク７においてＣＤＭＡ（符号分割多重接続）が使用されている場合には、伝送品質の劣化に応じて、コード数を減少させ、コードあたりの電力を増す方法も可能である。また、伝送品質の劣化に応じて、映像音声情報の送信電力自体を上げることにより、エラー自体を発生しにくくするようにしてもよい。また、映像音声情報の符号化率を変更してもよい。例えば、伝送品質が劣化した場合に、映像音声情報の符号化率を変更し、総伝送容量に対する、送りたい映像音声情報の割合を下げ、伝送される情報の冗長性をあげることにより、エラーの訂正を行いやすくしてもよい。
【０１２８】
また、符号化方式を変更したり、変調方式を変更したりする場合、第二テレビ電話端末２４０に対する総情報伝送量も変化するため、必要に応じて、映像の解像度を変化させたり、フレームレートを変化させたりしてもよい。
【０１２９】
（実施の形態３）
図１４は、本発明の実施の形態３に係る情報処理システムの構成を示すブロック図である。図において、図２と同一符号は同一または相当する部分を示している。本実施の形態に係る情報処理システムは、第一テレビ電話端末１０、第一中継装置２０、第二中継装置３３０、及び第二テレビ電話端末３４０を備えている。
【０１３０】
本実施の形態３の情報処理システムは、前記実施の形態１の情報処理システムにおいて、第二中継装置３０の代わりに第二中継装置３３０を、また、第二テレビ電話端末４０の代わりに第二テレビ電話端末３４０を、それぞれ設けるようにしたものである。なお、前記実施の形態１と同様の部分については、同一符号を付して、ここでは、その詳細な構成および動作等の説明は省略する。
【０１３１】
また、本実施の形態３に係る情報処理システムのハードウェア構成については、第二中継装置３０の代わりに第二中継装置３３０を、また、第二テレビ電話端末４０の代わりに第二テレビ電話端末３４０を、それぞれ設けるようにしたこと以外は、図１に示したハードウェア構成と同様であるので、ここでは説明を省略する。
【０１３２】
第二中継装置３３０は、第二中継情報受信部３１と、第二中継情報送信部３２と、伝送品質取得部３３６と、伝送品質情報送信部３３７を備えている。第二中継装置３３０は、例えば、公衆電話網の交換機や、携帯電話の基地局、あるいはネットワークサーバや、ルータ等により実現され得る。
第二中継情報受信部３１、および第二中継情報送信部３２の構成については、前記実施の形態１と同様であるので、説明は省略する。
【０１３３】
伝送品質取得部３３６は、前記実施の形態１に係る伝送品質取得部４１と、同様の構成を有しているので説明は省略する。伝送品質取得部３３６は、ここでは、ネットワーク７を介して伝送品質を取得する。なお、伝送品質取得部３３６は、ネットワーク７と直接接
続されており、ネットワーク６から直接、伝送品質を取得しているが、第二中継装置内の他の処理部等を経由して伝送品質を取得するようにしてもよい。
【０１３４】
伝送品質情報送信部３３７は、前記実施の形態２に係る伝送品質情報送信部２４７と、同様の構成を有しているので説明は省略する。ここでは、伝送品質情報送信部３３７は、伝送品質取得部３３６が取得した伝送品質に基づいて、伝送品質に関する情報を構成し、この伝送品質情報を、ネットワーク７経由で、第二テレビ電話端末３４０に送信する。
【０１３５】
第二テレビ電話端末３４０は、伝送品質情報受信部３４８と、第二情報受信部４２と、変更方法決定部４３と、情報変更部４４と、第二映像出力部４５と、第二音声出力部４６を備えている。第二テレビ電話端末３４０は、例えば、携帯型のテレビ電話端末や、固定設置型のテレビ電話端末等により実現され得る。なお、第二テレビ電話端末３４０は、テレビ電話専用の端末でなくてもよく、テレビ電話機能を有する携帯電話やＰＤＡ、ＰＣ等であってもよい。
【０１３６】
第二テレビ電話端末３４０は、前記実施の形態１の第二テレビ電話端末４０において、伝送品質取得部４１の代わりに、伝送品質情報受信部３４８を設けるようにしたものである。他の部分については、前記実施の形態１の第二テレビ電話端末４０と同様の構成であるので、説明を省略する。
【０１３７】
伝送品質情報受信部３４８は、伝送品質情報を、第二中継装置３３０から、ネットワーク７を介して取得する。伝送品質情報受信部３４８は、有線または無線の通信手段、または放送手段等により実現され得る。また、伝送品質情報受信部３４８は、メモリやＭＰＵ等を備えていてもよい。
【０１３８】
以下、第二中継装置３３０の動作を、図１５のフローチャートを用いて説明する。
（ステップＳ１５０１）第二中継装置３３０が、第一テレビ電話端末１０と第二テレビ電話端末３４０との通話が可能な状態であるか否かを判定する。そして、通話が可能な状態である場合、ステップＳ１５０２へ進み、可能でない場合には、ステップＳ１５０１に戻る。
（ステップＳ１５０２）伝送品質取得部３３６が、ネットワーク７を介して、映像音声情報の伝送品質を取得する。
（ステップＳ１５０３）伝送品質情報送信部３３７が、伝送品質取得部３３６が取得した伝送品質に基づいて、伝送品質情報を構成する。
（ステップＳ１５０４）伝送品質情報送信部３３７が、構成した伝送品質情報を、第二テレビ電話端末３４０に対して送信する。
【０１３９】
（ステップＳ１５０５）第二中継情報受信部３１が、第一中継装置２０から映像音声情報を受信したか否か判定する。受信した場合、ステップＳ１５０６に進み、受信していない場合、ステップＳ１５０２に戻る。
（ステップＳ１５０６）第二中継情報送信部３２が、第二テレビ電話端末３４０に対して、映像音声情報を送信する。そしてステップＳ１５０２に戻る。
なお、図１５のフローチャートにおいて、電源オフや、処理終了の割り込みにより処理は終了する。
【０１４０】
次に、本実施の形態３に係る第二テレビ電話端末３４０の動作について、図１６のフローチャートを用いて説明する。なお、ステップＳ１６０１ないしステップＳ１６０３以外のステップについては、実施の形態１において図６に示したフローチャートと同様であるので、説明は省略する。
（ステップＳ１６０１）伝送品質情報受信部３４８がネットワーク７を介して第二中継
装置３３０が送信する伝送品質情報を受信する。
【０１４１】
（ステップＳ１６０２）第二情報受信部４２が、ネットワーク７を介して映像音声情報を受信したか否かを、判定する。受信した場合、ステップＳ１６０３へ進み、受信していない場合、ステップＳ１６０１に戻る。
【０１４２】
（ステップＳ１６０３）変更方法決定部４３が、伝送品質情報受信部３４８が受信した伝送品質情報に基づいて、第二情報受信部４２の受信した映像音声情報に対する変更の要否を判定する。変更が必要と判定した場合、ステップＳ６０５に進み、不要と判定した場合、ステップＳ６０８へ進む。
なお、図１６のフローチャートにおいて、電源オフや、処理終了の割り込みにより処理は終了する。
【０１４３】
以下、本実施の形態３に係る情報処理システムの具体例について説明する。なお、前記実施の形態１および２の情報処理システムにおいて具体例として説明した部分と同様の部分についての説明は省略する。ここでは、例として、第二テレビ電話端末３４０が、携帯型のテレビ電話端末、第二中継装置３３０が、無線の公衆電話網と有線の公衆電話網とを接続する基地局であるものとする。
【０１４４】
第二中継装置３３０の伝送品質取得部３３６は、第二中継装置３３０と第二テレビ電話端末３４０との間で送受信されるデータから、定期的、あるいは不定期に、受信されるデータの受信エラー率を検出し、この受信エラー率を、ネットワーク７における映像音声情報の伝送品質として取得する。
【０１４５】
そして、伝送品質情報送信部３３７が、伝送品質取得部３３６の取得した伝送品質に基づいて、伝送品質情報を構成する。ここでは、伝送品質情報を、伝送品質取得部３３６が取得した受信エラー率の値とする。そして、この伝送品質に関する情報を、ネットワーク７経由で、第二テレビ電話端末３４０に送信する。
第二テレビ電話端末３４０の伝送品質情報受信部３４８は、伝送品質情報送信部３３７から送信される伝送品質に関する情報を受信する。
また、第二テレビ電話端末３４０の第二情報受信部４２は、ネットワーク７を介して映像音声情報を受信する。
【０１４６】
図１７は、変更方法決定部４３がメモリ等に格納している変更方法指定テーブルを示す図であり、変更方法指定テーブルには、伝送品質と、伝送品質に関する情報として受信される受信エラー率と、その伝送品質に対応した情報の変更方法が、関連付けられて格納されている。変更方法のデータは、例えば、情報変更部４４に与える指示等である。また、ここでは受信エラー率を、そのエラー率の高さに応じて、「低」、「中」、「高」の三段階に判別しており、それぞれは、伝送品質の「優」、「良」、「可」に対応する。なお、このテーブルに格納されているデータの形式は問わない。
【０１４７】
変更方法決定部４３は、伝送品質情報受信部３４８が受信した伝送品質に関する情報から、図１７に示すような変更方法指定テーブルに基づいて、第二情報受信部４２が受信した情報の変更が必要か否かを判定する。そして、第二情報受信部４２が受信した映像音声情報に対して行われる変更方法を決定する。
【０１４８】
例えば、伝送品質に関する情報の示す受信エラー率が、「低」である場合には、図１７に示した変更方法指定テーブルに基づいて、変更方法決定部４３は、情報の変更が不要であると判断する。この場合、情報変更部４４は、第二情報受信部４２から受信した映像音声情報を変更しない。ここでは、変更を受けない場合の映像の表示サイズが、ＱＶＧＡサ
イズであるとすると、前記実施の形態１において示した図８（ａ）のように、第二情報受信部４２が受信した映像音声情報は、情報変更部４４による変更を受けずに、ＱＶＧＡサイズの映像８ａとしてディスプレイに出力される。また、受信エラー率が、「低」でない場合、すなわち「中」または「高」の場合には、変更方法決定部４３が、図１７に示した変更方法指定テーブルに基づいて、映像音声情報の変更が必要であると判断する。そして、この場合、図１７に示した変更方法指定テーブルに基づいて、映像音声情報の変更方法が決定される。そして、その変更方法に基づいて、情報変更部４４が、第二情報受信部４２が受信した映像音声情報を変更する。
【０１４９】
例えば、受信エラー率が「中」である場合、図８（ｂ）に示すように、第二情報受信部４２が受信した情報に対して、映像の表示サイズをＱＶＧＡサイズから、ＱＣＩＦサイズに変更を行うことを、変更方法決定部４３が決定する。そして、その変更方法に基づいて、情報変更部４４が、映像の表示サイズがＱＣＩＦサイズに変更する。そして、ＱＣＩＦサイズの映像８ｂがディスプレイに出力される。
【０１５０】
また、受信エラー率が「高」である場合、図８（ｃ）に示すように、第二情報受信部４２が受信した映像音声情報に対して、映像の表示を中止する変更を行うことを、変更方法決定部４３が決定する。そして、その変更方法に基づいて、情報変更部４４が、映像の情報を削除、もしくは出力不可の状態に変更する。そして、ディスプレイには、例えば「映像非表示」等の文字が出力される。
【０１５１】
以上、本実施の形態によれば、第二中継装置３３０の伝送品質取得部３３６が取得した伝送品質に基づいて、第二テレビ電話端末３４０の情報変更部４４が、第二情報受信部４２が受信した映像音声情報を変更するようにした。そして、この変更された映像音声情報が有する映像および音声を、第二映像出力部４５と、第二音声出力部４６から出力するようにした。これにより、伝送品質に応じて映像音声情報を変更でき、映像音声情報の伝送品質に応じた最適な品質による通話を実現することができる。この結果、通話時に、ユーザに対して視聴覚的な不具合を感じさせなくすることが可能となる。
【０１５２】
また、本実施の形態においては、映像音声情報を受信する第二テレビ電話端末３４０が、伝送品質に応じて、映像音声情報を変更している。このため、映像音声情報を変更する前に、伝送品質に応じて表示を変更する旨を、第二テレビ電話端末３４０のユーザに確認するダイアログ等を、ディスプレイ等に表示するようにし、ユーザが同意する指示を出した場合にのみ、表示を変更するようにしてもよい。例えば、映像の表示サイズの変更を行うか否かについて確認を求める表示を行うようにしてもよい。これにより、映像音声情報を受信するユーザが、伝送品質に応じた映像や音声の変更を行うか否かの選択を行うようにすることができる。この結果、ユーザの好みに適応した映像および音声を提供することが可能となる。
【０１５３】
なお、本実施の形態３においては、ネットワーク７における映像音声情報の伝送品質を取得し、その伝送品質に基づいて、第二テレビ電話端末３４０が受信した映像音声情報を変更するようにしたが、本発明においては、例えばネットワーク６における映像音声情報の伝送品質を取得し、その伝送品質に基づいて、第二テレビ電話端末３４０が受信した映像音声情報の変更を行うようにしてもよい。かかることは他の実施の形態においても同様である。
【０１５４】
（実施の形態４）
図１８は、本発明の実施の形態４に係る情報処理システムの構成を示すブロック図である。図において、図２と同一符号は同一または相当する部分を示している。本実施の形態に係る情報処理システムは、第一テレビ電話端末１０、第一中継装置２０、第二中継装置
４３０、及び第二テレビ電話端末４４０を備えている。
【０１５５】
本実施の形態４の情報処理システムは、前記実施の形態１の情報処理システムにおいて、第二中継装置３０の代わりに第二中継装置４３０を、また、第二テレビ電話端末４０の代わりに第二テレビ電話端末４４０を、それぞれ設けるようにしたものである。なお、前記実施の形態１と同様の部分については、同一符号を付して、ここでは、その詳細な構成および動作等の説明は省略する。
【０１５６】
また、本実施の形態４に係る情報処理システムのハードウェア構成については、第二中継装置３０の代わりに第二中継装置４３０を、また、第二テレビ電話端末４０の代わりに第二テレビ電話端末４４０を、それぞれ設けるようにしたこと以外は、図１に示したハードウェア構成と同様であるので、ここでは説明を省略する。
【０１５７】
第二中継装置４３０は、第二中継情報受信部３１と、第二中継情報送信部３２と、伝送品質取得部３３６と、変更方法決定部２３４と、情報変更部２３５とを備えている。第二中継装置４３０は、例えば、公衆電話網の交換機や、携帯電話の基地局、あるいはネットワークサーバや、ルータ等により実現され得る。
第二中継情報受信部３１、および第二中継情報送信部３２の構成については、前記実施の形態１と同様であるので、説明は省略する。
【０１５８】
また、変更方法決定部２３４と、情報変更部２３５の構成については、前記実施の形態２と同様であり、伝送品質取得部３３６の構成については、前記実施の形態３と同様であるので、説明は省略する。ただし、ここでは、変更方法決定部２３４が、伝送品質取得部３３６の取得した伝送品質に基づいて映像音声情報に対する変更の要否、および変更の方法を決定する。
【０１５９】
第二テレビ電話端末４４０は、第二情報受信部４２と、第二映像出力部４５と、第二音声出力部４６を備えている。第二テレビ電話端末４４０は、例えば、携帯型のテレビ電話端末や、固定設置型のテレビ電話端末である。なお、第二テレビ電話端末４４０は、テレビ電話専用の端末でなくてもよく、テレビ電話機能を有する携帯電話やＰＤＡ、ＰＣ等であってもよい。
第二情報受信部４２と、第二映像出力部４５と、第二音声出力部４６の構成については、前記実施の形態１と同様であり、説明は省略する。
【０１６０】
以下、第二中継装置４３０の動作を、図１９のフローチャートを用いて説明する。なお、ステップＳ１５０１およびステップＳ１５０２は、図１５に示したフローチャートと同様であるので、説明を省略する。
【０１６１】
（ステップＳ１９０１）第二中継情報受信部３１が、ネットワーク６を介して、第一中継装置２０から送信された映像音声情報を、受信したか否か、判定する。受信した場合、ステップＳ１９０２へ進み、受信していない場合、ステップＳ１５０２へ戻る。
【０１６２】
（ステップＳ１９０２）変更方法決定部２３４が、伝送品質取得部３３６が取得したネットワーク７の伝送品質に基づいて、第二中継情報受信部３１の受信した映像音声情報に対する、変更の要否を判定する。変更が必要と判定した場合、ステップＳ１９０３に進み、不要と判定した場合、ステップＳ１９０６へ進む。
【０１６３】
（ステップＳ１９０３）変更方法決定部２３４が、伝送品質取得部３３６が取得した伝送品質に基づいて、第二中継情報受信部３１の受信した映像音声情報の変更方法を決定する。
（ステップＳ１９０４）情報変更部２３５が、変更方法決定部２３４の決定した変更方法により、第二中継情報受信部３１が受信した映像音声情報を変更する。
【０１６４】
（ステップＳ１９０５）第二中継情報送信部３２が、情報変更部２３５が変更した映像音声情報をネットワーク７経由で第二テレビ電話端末４４０に送信する。そしてステップＳ１５０２に戻る。
【０１６５】
（ステップＳ１９０６）第二中継情報送信部３２が、第二中継情報受信部３１が受信した映像音声情報を、ネットワーク７経由で第二テレビ電話端末４４０に送信する。そしてステップＳ１５０２に戻る。
なお、図１９のフローチャートにおいて、電源オフや、処理終了の割り込みにより処理は終了する。
【０１６６】
本実施の形態４に係る第２テレビ電話端末４４０の動作については、図１１に示したフローチャートの、ステップＳ１１０２からステップＳ１１０４までのステップを省いたものであるため、ここでは説明は省略する。
【０１６７】
以下、本実施の形態４に係る情報処理システムの具体例について説明する。なお、前記実施の形態１ないし実施の形態３の情報処理システムにおいて具体例として説明した部分と、同様の部分についての説明は、ここでは省略する。ここでは、例として、第二テレビ電話端末４４０が、携帯型のテレビ電話端末であるものとする。また、第二中継装置４３０が、無線の公衆電話網と、有線の公衆電話網とを接続する基地局であるものとする。また、変更方法決定部２３４は、前記実施の形態３において図１７に示したような変更方法指定テーブルをメモリ等に格納しているものとする。
【０１６８】
第二中継装置４３０の伝送品質取得部３３６は、定期的、あるいは不定期に、第二テレビ電話端末４４０との間で送受信される映像音声情報や、その他の情報等の受信エラー率を検出し、この受信エラー率を、ネットワーク７における映像音声情報の伝送品質として取得する。
【０１６９】
第二中継情報受信部３１が、有線の公衆電話網であるネットワーク６を介して送信された映像音声情報を受信すると、変更方法決定部２３４は、伝送品質取得部３３６が受信した伝送品質に関する情報から、前記実施の形態３において説明した図１７に示すような変更方法指定テーブルに基づいて、第二中継情報受信部３１が受信した情報の変更が必要か否かを判定する。そして、図１７に示すような変更方法指定テーブルに基づいて、第二中継情報受信部３１が受信した映像音声情報に対して行う変更方法を決定する。ここでは、前記実施の形態３の具体例と同様に、伝送品質の変化に対応して、映像音声情報に対する画像サイズの変更、および表示の有無の変更が決定される。
そして、変更方法決定部２３４において決定された変更方法に基づいて、情報変更部２３５が、第二中継情報受信部３１の受信した映像音声情報を変更する。
【０１７０】
情報変更部２３５が変更した映像音声情報が、第二中継情報送信部３２から、無線の公衆電話網であるネットワーク７を介して、第二情報受信部４２に対して送信される。
【０１７１】
また、変更方法決定部２３４において変更が不要であると決定された場合には、第二中継情報受信部３１が受信した映像音声情報には変更が加えられず、第二中継情報送信部３２から、無線の公衆電話網であるネットワーク７を介して、第二情報受信部４２に対して出力される。
第二テレビ電話端末４４０の第二情報受信部４２は、受信した映像音声情報を、電気信号に変換し、変換した映像音声情報に対して復号を行う。
【０１７２】
その後、第二映像出力部４５から復号された映像音声情報が有する映像が出力される。また、第二音声出力部４６から復号された映像音声情報が有する音声が出力される。
【０１７３】
このとき、第二テレビ電話端末４４０のディスプレイには、例えば、前記実施の形態１において図８（ａ）ないし図８（ｃ）に示したものと同様の表示が出力される。
【０１７４】
以上、本実施の形態によれば、第二中継装置４３０において、伝送品質取得部３３６が取得した伝送品質に基づいて、第二中継情報受信部３１が受信した映像音声情報を変更するようにした。そして、この変更された映像音声情報が有する映像および音声を、第二テレビ電話端末４４０の第二映像出力部４５と、第二音声出力部４６から出力するようにした。これにより、伝送品質に応じて映像音声情報を変更でき、映像音声情報の伝送品質に応じた最適な品質による通話を実現することができる。この結果、通話時に、ユーザに対して視聴覚的な不具合を感じさせなくすることが可能となる。
【０１７５】
また、本実施の形態によれば、第二中継装置２３０において、映像音声情報の変更を行うようにしている。通常、映像音声情報の変更は、情報の処理量が多く、処理自体も複雑であるため、高性能なプロセッサ等が要求される。このような処理を、第二テレビ電話端末で行わなくてよいため、第二テレビ電話端末が高性能なプロセッサ等を備える必要が無くなり、第二テレビ電話端末を安価に提供することができる。
【０１７６】
（実施の形態５）
図２０は、本発明の実施の形態５に係る情報処理システムの構成を示すブロック図である。図において、図２および図１８と同一符号は同一または相当する部分を示している。本実施の形態に係る情報処理システムは、第一テレビ電話端末５１０、第一中継装置２０、第二中継装置３０、及び第二テレビ電話端末４４０を備えている。
【０１７７】
本実施の形態５の情報処理システムは、前記実施の形態１の情報処理システムにおいて、第一テレビ電話端末１０の代わりに第一テレビ電話端末５１０を、また、第二テレビ電話端末４０の代わりに前記実施の形態４において示した第二テレビ電話端末４４０を、それぞれ設けるようにしたものである。なお、前記実施の形態１および４と同様の部分については、同一符号を付して、その詳細な構成および動作等の説明は省略する。
【０１７８】
また、本実施の形態５に係る情報処理システムのハードウェア構成については、第一テレビ電話端末１０の代わりに第一テレビ電話端末５１０を、また、第二テレビ電話端末４０の代わりに前記実施の形態４において示した第二テレビ電話端末４４０を、それぞれ設けるようにしたこと以外は、図１に示したハードウェア構成と同様であるので、ここでは説明を省略する。
【０１７９】
第一テレビ電話端末５１０は、第一映像取得部１１と、第一音声取得部１２と、第一情報送信部１３と、伝送品質取得部５１４と、変更方法決定部５１５と、情報変更部５１６とを備えている。第一テレビ電話端末５１０は、例えば、携帯型のテレビ電話端末や、固定設置型のテレビ電話端末等で実現され得る。なお、第一テレビ電話端末５１０は、テレビ電話専用の端末でなくてもよく、テレビ電話機能を有する携帯電話やＰＤＡ、ＰＣ等であってもよい。
第一映像取得部１１と、第一音声取得部１２と、第一情報送信部１３の構成については、前記実施の形態１と同様であるので、説明は省略する。
【０１８０】
伝送品質取得部５１４、変更方法決定部５１５および情報変更部５１６の構成については、それぞれ、前記実施の形態１に係る伝送品質取得部４１、変更方法決定部４３および
情報変更部４４の構成と同様であるので、詳細な説明は省略する。ただし、ここでは、伝送品質取得部５１４は、ネットワーク５を介して、映像音声情報の伝送品質を取得する。また、情報変更部５１６は、第一情報送信部１３が構成した映像音声情報を必要に応じて変更する。この変更した情報は、第一情報送信部１３から送信される。なお、伝送品質取得部５１４は、ネットワーク５と直接接続されており、ネットワーク５を介して伝送品質を取得しているが、第一テレビ電話端末５１０内の手段等を経由して得られる情報等から伝送品質を取得するようにしてもよい。
【０１８１】
以下、第一テレビ電話端末５１０の動作を、図２１のフローチャートを用いて説明する。
（ステップＳ２１０１）第一テレビ電話端末５１０が、第二テレビ電話端末４４０との通話が可能な状態であるか否かを判定する。そして、通話が可能な状態である場合、ステップＳ２１０２へ進み、可能でない場合には、ステップＳ２１０１に戻る。
（ステップＳ２１０２）伝送品質取得部５１４が、ネットワーク５を介して映像音声情報の伝送品質を取得する。
【０１８２】
（ステップＳ２１０３）第一映像取得部１１および第一音声取得部１２が、それぞれ映像および音声を取得したか否か判定する。取得した場合、ステップＳ２１０４に進み、取得していない場合、ステップＳ２１０２に戻る。
（ステップＳ２１０４）第一情報送信部１３が、映像音声情報を作成する。
【０１８３】
（ステップＳ２１０５）変更方法決定部５１５が、伝送品質取得部５１４が取得した伝送品質に基づいて、第一情報送信部１３の作成した映像音声情報に対する変更の要否を判定する。変更が必要と判定した場合、ステップＳ２１０６に進み、不要と判定した場合、ステップＳ２１０９へ進む。
【０１８４】
（ステップＳ２１０６）変更方法決定部５１５が、伝送品質取得部５１４が取得した伝送品質に基づいて、第一情報送信部１３の作成した映像音声情報に対する変更方法を決定する。
（ステップＳ２１０７）情報変更部５１６が、変更方法決定部５１５の決定した変更方法により、第一情報送信部１３が作成した映像音声情報を変更する。
【０１８５】
（ステップＳ２１０８）第一情報送信部１３が、情報変更部５１６の変更した映像音声情報を第一中継装置２０に対して送信する。そしてステップＳ２１０２に戻る。
（ステップＳ２１０９）第一情報送信部１３が、作成した映像音声情報を第一中継装置２０に対して送信する。そしてステップＳ２１０２に戻る。
なお、図２１のフローチャートにおいて、電源オフや、処理終了の割り込みにより処理は終了する。
【０１８６】
本実施の形態５に係る情報処理システムの第一中継装置２０、第二中継装置３０の動作、および第二テレビ電話端末４４０の動作については、それぞれ実施の形態１、実施の形態４において説明した動作と同様であるので、ここでは説明を省略する。
【０１８７】
以下、本実施の形態５に係る情報処理システムの具体例について説明する。なお、前記実施の形態１ないし実施の形態４の情報処理システムにおいて具体例として説明した部分と同様の部分についての説明は省略する。ここでは、例として、第一テレビ電話端末５１０が、携帯型のテレビ電話端末であるものとする。また、変更方法決定部５１５は、前記実施の形態１において図７に示したような変更方法指定テーブルをメモリ等に格納しているものとする。
【０１８８】
第一テレビ電話端末５１０の伝送品質取得部５１４は、定期的、あるいは不定期に、第一中継装置５２０から送信される電波の受信電界強度を検出し、この受信電界強度を、ネットワーク５の伝送品質として取得する。
【０１８９】
そして、変更方法決定部５１５は、伝送品質取得部５１４が取得した伝送品質から、前記実施の形態１において図７に示したような変更方法指定テーブルに基づいて、第一情報送信部１３が作成した映像音声情報の変更が必要か否かを判定する。そして、変更が必要な場合、第一情報送信部１３が作成した映像音声情報に対して行われる変更方法を決定する。
【０１９０】
そして、第一情報送信部１３が作成した映像音声情報を、変更方法決定部５１５において決定された変更方法に基づいて、情報変更部５１６が変更される。ここでは、図７に示したような変更方法指定テーブルに基づいて、映像音声情報の映像の表示サイズの変更、もしくは表示の有無の変更が行われる。そして、変更された映像音声情報を、第一情報送信部１３が、ネットワーク５を介して、第一中継装置２０に送信される。
【０１９１】
そして、この変更された映像音声情報が、第二テレビ電話端末４４０に受信され、例えば、前記実施の形態１において図８（ａ）ないし図８（ｃ）に示したように、第二テレビ電話端末４４０のディスプレイに出力される。
【０１９２】
以上、本実施の形態によれば、第一テレビ電話端末５１０が、伝送品質取得部５１４の取得した映像音声情報の伝送品質に基づいて、第一情報送信部１３の作成した映像音声情報を変更するようにした。そして、この変更した映像音声信号の有する映像および音声を、第二テレビ電話端末４４０の第二映像出力部４５と、第二音声出力部４６から出力するようにした。これにより、伝送品質に応じて映像音声情報を変更でき、映像音声情報の伝送品質に応じた最適な品質による通話を実現することができる。この結果、通話時に、ユーザに対して視聴覚的な不具合を感じさせなくすることが可能となる。
【０１９３】
また、本実施の形態においては、映像音声情報を送信する第一テレビ電話端末５１０が、伝送品質に応じて、映像音声情報を変更している。このため、映像音声情報を変更する前に、伝送品質に応じて送信する映像音声情報を変更する旨を、第一テレビ電話端末５１０のユーザに確認するダイアログ等を、ディスプレイ等に表示するようにし、ユーザが同意する指示を出した場合にのみ、映像音声情報を変更して送信するようにしてもよい。例えば、映像の表示サイズの変更を行うか否かについて確認を求める表示を行うようにしてもよい。これにより、映像音声情報を送信するユーザが、伝送品質に応じた映像や音声の変更を行うか否かの選択を行うようにすることができる。この結果、ユーザの好みに適応した映像および音声を提供することが可能となる。
【０１９４】
また、第二テレビ電話端末３４０においては、第一テレビ電話端末６１０が取得した伝送品質に応じた映像や音声が表示されることなるため、第二テレビ電話端末３４０のユーザが、表示される映像や音声から、第一テレビ電話端末６１０が取得している伝送品質を把握することが可能となる。このため、第二テレビ電話端末３４０のユーザが、映像音声情報の送信元である第一テレビ電話端末６１０のおかれている状況等を把握することが可能となる。例えば、第一テレビ電話端末６１０が無線を利用する携帯型のテレビ電話端末である場合、表示される映像や音声の変更内容から、第二テレビ電話端末３４０のユーザが、第一テレビ電話端末６１０における電波の受信状況が悪い等を、把握することが可能となる。
【０１９５】
（実施の形態６）
図２２は、本発明の実施の形態６に係る情報処理システムの構成を示すブロック図であ
る。図において、図２、図１８および図２０と同一符号は同一または相当する部分を示している。本実施の形態に係る情報処理システムは、第一テレビ電話端末６１０、第一中継装置６２０、第二中継装置３０、及び第二テレビ電話端末４４０を備えている。
【０１９６】
本実施の形態６の情報処理システムは、前記実施の形態１の情報処理システムにおいて、第一テレビ電話端末１０の代わりに第一テレビ電話端末６１０を、第一中継装置２０の代わりに第一中継装置６２０を、また、第二テレビ電話端末４０の代わりに前記実施の形態４において示した第二テレビ電話端末４４０を、それぞれ設けるようにしたものである。なお、前記実施の形態１，４および５と同様の部分については、同一符号を付して、ここでは、その詳細な構成および動作等の説明は省略する。
【０１９７】
また、本実施の形態６に係る情報処理システムのハードウェア構成については、第一テレビ電話端末１０の代わりに第一テレビ電話端末６１０を、第一中継装置２０の代わりに第一中継装置６２０を、また、第二テレビ電話端末４０の代わりに前記実施の形態４において示した第二テレビ電話端末４４０を、それぞれ設けるようにしたものであり、他の部分については、図１に示したハードウェア構成と同様であるので、ここでは説明を省略する。
【０１９８】
第一テレビ電話端末６１０は、第一映像取得部１１と、第一音声取得部１２と、第一情報送信部１３と、伝送品質取得部５１４と、伝送品質情報送信部６１７を備えている。第一テレビ電話端末１０は、例えば、携帯型のテレビ電話端末や、固定設置型のテレビ電話端末で実現され得る。なお、第一テレビ電話端末６１０は、テレビ電話専用の端末でなくてもよく、テレビ電話機能を有する携帯電話やＰＤＡ、ＰＣ等であってもよい。
【０１９９】
第一映像取得部１１と、第一音声取得部１２と、第一情報送信部１３の構成については、前記実施の形態１と同様であるので、説明は省略する。また、伝送品質取得部５１４の構成については、前記実施の形態５と同様であるので、詳細な説明は省略する。
【０２００】
伝送品質情報送信部６１７の構成については、前記実施の形態２の伝送品質情報送信部２４７と同様であるので、説明は省略する。ただし、ここでは、伝送品質情報送信部６１７は、伝送品質取得部５１４が取得した伝送品質に基づいて、伝送品質情報を構成し、この伝送品質情報をネットワーク５経由で、第一中継装置６２０に送信する。
【０２０１】
第一中継装置６２０は、第一中継情報受信部２１と、第一中継情報送信部２２と、伝送品質情報受信部６２３、変更方法決定部６２４、情報変更部６２５を備えている。この第一中継装置６２０の、第一中継情報受信部２１、第一中継情報送信部２２、伝送品質情報受信部６２３、変更方法決定部６２４、および情報変更部６２５は、それぞれ、前記実施の形態２において図９の第二中継情報受信部３１、第二中継情報送信部３２、伝送品質情報受信部２３３、変更方法決定部２３４、および情報変更部２３５と同様の構成を有している。この第一中継装置６２０の構成は、前記実施の形態２において説明した第二中継装置２３０の構成と同様であるので、詳細な説明は省略する。
【０２０２】
以下、第一テレビ電話端末６１０の動作を、図２３のフローチャートを用いて説明する。なお、ステップＳ３０１、ステップＳ３０３、およびステップＳ３０４のステップについては、図３に示したフローチャートと同様であるので、説明を省略する。ただし、ステップＳ３０４が終了した時点で、ステップＳ２３０１へ進むものとする。
（ステップＳ２３０１）伝送品質取得部５１４が、ネットワーク５を介して、伝送品質を取得する。
（ステップＳ２３０２）伝送品質情報送信部６１７が、伝送品質取得部５１４の取得した伝送品質に基づいて、伝送品質情報を構成する。
（ステップＳ２３０３）伝送品質情報送信部６１７が、構成した伝送品質情報を第一中継装置６２０に対して送信する。
【０２０３】
（ステップＳ２３０４）第一映像取得部１１および第一音声取得部１２が、映像および音声を取得したか否かを判定する。取得した場合、ステップＳ３０３に進み、取得していない場合、ステップＳ２３０１に戻る。
なお、図２３のフローチャートにおいて、電源オフや、処理終了の割り込みにより処理は終了する。
【０２０４】
第一中継装置６２０の動作については、実施の形態２において説明した第二中継装置２３０と同様であるので、ここでは説明を省略する。
また、本実施の形態６に係る情報処理システムの第二中継装置３０の動作、および第二テレビ電話端末４４０の動作については、それぞれ実施の形態１、実施の形態４において説明した動作と同様であるので、ここでは説明を省略する。
【０２０５】
以下、本実施の形態６に係る情報処理システムの具体例について説明する。なお、前記実施の形態１ないし実施の形態５の情報処理システムにおいて具体例として説明した部分と同様の部分についての説明は省略する。ここでは、例として、第一テレビ電話端末６１０が、携帯型のテレビ電話端末であるものとする。また、第一中継装置６２０が無線の公衆電話網と、有線の公衆電話網とを接続する基地局であるものとする。また、変更方法決定部６２４は、前記実施の形態２において図７に示したような変更方法指定テーブルをメモリ等に格納しているものとする。
【０２０６】
第一テレビ電話端末６１０の伝送品質取得部５１４は、定期的、あるいは不定期に、第一中継装置６２０から送信される電波の受信電界強度を検出し、この受信電界強度を、ネットワーク５の伝送品質として取得する。
【０２０７】
そして、伝送品質情報送信部６１７が、伝送品質取得部５１４の取得した伝送品質に基づいて、伝送品質に関する情報を構成する。ここでは、伝送品質に関する情報を、伝送品質取得部５１４が取得した受信電界強度の値とする。そして、この伝送品質に関する情報を、ネットワーク５経由で、第一中継装置６２０に送信する。
【０２０８】
伝送品質情報受信部６２３は、伝送品質情報送信部６１７から送信される伝送品質に関する情報を受信する。そして、第一中継情報受信部２１が映像音声情報を受信すると、変更方法決定部６２４は、伝送品質情報受信部６２３が受信した伝送品質に関する情報から、図７に示したような変更方法指定テーブルに基づいて、第一中継情報受信部２１が受信した映像音声情報の変更が必要か否かを判定する。そして、変更が必要な場合、第一中継情報受信部２１が受信した映像音声情報に対して行われる変更方法を決定する。
【０２０９】
そして、第一中継情報受信部２１が受信した映像音声情報を、変更方法決定部６２４において決定された変更方法に基づいて、情報変更部６２５が変更する。ここでは、図７に示したような変更方法指定テーブルに基づいて、映像音声情報の映像の表示サイズの変更、もしくは表示の有無の変更が行われる。そして、変更された映像音声情報を、第一中継情報送信部２２が、ネットワーク６を介して、第二中継装置３０に送信する。
【０２１０】
そして、この変更された映像音声情報が、第二テレビ電話端末４４０に受信され、例えば、前記実施の形態１において図８（ａ）ないし図８（ｃ）に示したように、第二テレビ電話端末４４０のディスプレイに出力される。
【０２１１】
以上、本実施の形態によれば、第一テレビ電話端末６１０の伝送品質取得部５１４が取
得した伝送品質に基づいて、第一中継装置６２０の情報変更部６２５が、映像音声情報を変更するようにした。そして、この変更した映像音声信号の有する映像および音声を、第二テレビ電話端末４４０の第二映像出力部４５と、第二音声出力部４６から出力するようにした。これにより、伝送品質に応じて映像音声情報を変更でき、映像音声情報の伝送品質に応じた最適な品質による通話を実現することができる。この結果、通話時に、ユーザに対して視聴覚的な不具合を感じさせなくすることが可能となる。
【０２１２】
また、本実施の形態によれば、第一中継装置６２０において、映像音声情報の変更を行うようにしている。通常、映像音声情報の変更は、情報の処理量が多く、処理自体も複雑であるため、高性能なプロセッサ等が要求される。このような処理を、第一テレビ電話端末で行わなくてよいため、第一テレビ電話端末が高性能なプロセッサ等を備える必要が無くなり、第一テレビ電話端末を安価に提供することができる。
【０２１３】
また、本実施の形態によれば、第二テレビ電話端末４４０には、第一テレビ電話端末６１０が取得した伝送品質に応じて変更された映像や音声が表示されることとなるため、第二テレビ電話端末４４０のユーザが、表示される映像や音声から、第一テレビ電話端末６１０が取得している伝送品質を把握することが可能となる。このため、第二テレビ電話端末４４０のユーザが、映像音声情報の送信元である第一テレビ電話端末６１０のおかれている状況等を把握することが可能となる。例えば、第一テレビ電話端末６１０が無線を利用する携帯型のテレビ電話端末である場合、表示される映像や音声の変更内容から、第二テレビ電話端末４４０のユーザが、第一テレビ電話端末６１０における電波の受信状況が悪い等を、把握することが可能となる。
【０２１４】
なお、本実施の形態においては、第一テレビ電話端末６１０に設けた伝送品質取得部５１４と、伝送品質情報６１７を、第一中継装置６２０に設けるようにし、第一中継装置６２０に設けた変更方法決定部６２４、伝送品質情報受信部６２３、および情報変更部６２５を、第一テレビ電話端末６１０に設けるようにし、第一中継装置６２０において取得したネットワーク５の伝送品質に基づいて、第一テレビ電話端末６１０において、映像音声情報の変更を行うようにしても良い。かかることは他の実施の形態においても同様である。
【０２１５】
（実施の形態７）
図２４は、本発明の実施の形態７に係る情報処理システムの構成を示すブロック図である。図において、図２、図１４および図２２と同一符号は同一または相当する部分を示している。本実施の形態に係る情報処理システムは、第一テレビ電話端末６１０、第一中継装置７２０、第二中継装置７３０、及び第二テレビ電話端末３４０を備えている。
【０２１６】
本実施の形態７の情報処理システムは、図１４を用いて説明した前記実施の形態３の情報処理システムにおいて、第一テレビ電話端末１０の代わりに前記実施の形態６に係る第一テレビ電話端末６１０を、第一中継装置２０の代わりに第一中継装置７２０を、また、第二中継装置３０の代わりに第二中継装置７３０を、それぞれ設けるようにしたものである。なお、前記実施の形態１、３および６と同様の部分については、同一符号を付して、ここでは、その詳細な構成および動作等の説明は省略する。
【０２１７】
また、本実施の形態７に係る情報処理システムのハードウェア構成については、図１に示した前記実施の形態１に係る情報処理システムのハードウェア構成において、第一テレビ電話端末１０の代わりに前記実施の形態６に係る第一テレビ電話端末６１０を、第一中継装置２０の代わりに第一中継装置７２０を、第二中継装置３０の代わりに第二中継装置７３０を、また第二テレビ電話端末４０の代わりに前記実施の形態３において示した第二テレビ電話端末３４０を、それぞれ設けるようにしたものであり、ここでは説明を省略す
る。
【０２１８】
第一テレビ電話端末６１０の構成については、前記実施の形態６と同様であるので、説明は省略する。また、第二テレビ電話端末３４０の構成については、前記実施の形態３と同様であるので、説明は省略する。
【０２１９】
第一中継装置７２０は、第一中継情報受信部２１と、第一中継情報送信部２２と、第一中継伝送品質情報受信部７２１と、第一中継伝送品質情報送信部７２２を備えている。第一中継情報受信部２１と、第一中継情報送信部２２の構成は、前記実施の形態１と同様であるので、説明は省略する。
【０２２０】
第一中継伝送品質情報受信部７２１は、第一テレビ電話端末６１０から送信される伝送品質情報を受信する。第一中継伝送品質情報受信部７２１は、メモリやＭＰＵ、有線または無線の通信手段、または放送手段等により実現され得る。なお、ここでは、ネットワーク５から伝送品質情報を直接受信するようにしているが、伝送品質情報を受信する経路は問わない。例えば、第一中継情報受信部２１を介するなどにより、間接的に伝送品質情報を受信するようにしてもよい。また、ネットワーク５とは異なるネットワーク経由で伝送品質情報を受信してもよい。
【０２２１】
第一中継伝送品質情報送信部７２２は、第一中継伝送品質情報受信部７２１から伝送品質情報を取得して、第二中継装置７３０に送信する。第一中継伝送品質情報送信部７２２は、メモリやＭＰＵ、有線または無線の通信手段、または放送手段等により実現され得る。なお、ここでは、ネットワーク６を介して伝送品質情報を、第二中継装置７３０に送信しているが、伝送品質情報を送信する経路は問わない。例えば、第一中継情報送信部２２を介するなどにより、間接的に伝送品質情報を送信するようにしてもよい。また、ネットワーク６とは異なるネットワーク経由で伝送品質情報を送信してもよい。
【０２２２】
第二中継装置７３０は、第二中継情報受信部３１と、第二中継情報送信部３２と、第二中継伝送品質情報受信部７３１と、第二中継伝送品質情報送信部７３２を備えている。第一中継情報受信部２１と、第一中継情報送信部２２の構成は、前記実施の形態１と同様であるので、説明は省略する。また、第二中継伝送品質情報受信部７３１と、第二中継伝送品質情報送信部７３２の構成については、第一中継伝送品質情報受信部７２１と、第一中継伝送品質情報送信部７２２の構成と同様であるので、説明を省略する。
【０２２３】
以下、第一中継装置７２０の動作について、図２５のフローチャートを用いて説明する。
（ステップＳ２５０１）第一中継装置７２０が、第一テレビ電話端末６１０と第二テレビ電話端末３４０との通話が可能な状態であるか否かを判定する。そして、通話が可能な状態である場合、ステップＳ２５０２へ進み、可能でない場合には、ステップＳ２５０１に戻る。
【０２２４】
（ステップＳ２５０２）第一中継伝送品質情報受信部７２１が、ネットワーク５から伝送品質を受信したか否か判定する。受信した場合、ステップＳ２５０３へ進み、受信していない場合、ステップＳ２５０４へ進む。
【０２２５】
（ステップＳ２５０３）第一中継伝送品質情報送信部７２２が、第一中継伝送品質情報受信部７２１の受信した伝送品質情報を取得し、第二中継装置７３０に送信する。
【０２２６】
（ステップＳ２５０４）第一中継情報受信部２１が、映像音声情報を受信したか、否か、判定する。受信した場合、ステップＳ２５０５に進み、受信していない場合、ステップ
Ｓ２５０２へ戻る。
【０２２７】
（ステップＳ２５０５）第一中継情報送信部２２が、第一中継情報受信部２１の受信した映像音声情報を取得して、第二中継装置７３０に送信し、ステップＳ２５０１に戻る。
【０２２８】
なお、図２５のフローチャートにおいて、電源オフや、処理終了の割り込みにより処理は終了する。また、図２５のフローチャートにおいては、ステップＳ２５０４とステップＳ２５０５の処理を、ステップＳ２５０２とステップＳ２５０３よりも先に処理するようにしてもよい。
【０２２９】
第二中継装置７３０の動作については、第二中継装置７３０が第一中継装置７２０と同様の構成を備えており、映像音声情報および伝送品質情報の送受信先が異なる点を除けば、動作も同様であることから、ここでは、説明を省略する。
【０２３０】
以下、本実施の形態７に係る情報処理システムの具体例について説明する。なお、前記実施の形態１ないし実施の形態６の情報処理システムにおいて具体例として説明した部分と同様の部分についての説明は省略する。ここでは、例として、第一中継装置７２０が無線の公衆電話網と有線の公衆電話網とを接続する基地局、第二中継装置７３０が有線の公衆電話網と無線の公衆電話網とを接続する基地局であるとする。また、変更方法決定部４３は、前記実施の形態１において図７に示したような変更方法指定テーブルをメモリ等に格納しているものとする。
【０２３１】
第一中継伝送品質情報受信部７２１が、伝送品質情報送信部６１７から送信される伝送品質に関する情報を受信する。そして、第一中継伝送品質情報送信部７２２が、第一中継伝送品質情報受信部７２１が受信した伝送品質に関する情報を取得し、第二中継装置７３０に送信する。
【０２３２】
第二中継伝送品質情報受信部７３１は、第一中継伝送品質情報送信部７２２から送信される伝送品質に関する情報を受信する。そして、第二中継伝送品質情報送信部７３２が、第二中継伝送品質情報受信部７３１が受信した伝送品質に関する情報を取得し、第二テレビ電話端末３４０に送信する。
第二テレビ電話端末３４０の伝送品質情報受信部３４８は、伝送品質情報送信部３３７から送信される伝送品質に関する情報を受信する。
【０２３３】
第二テレビ電話端末３４０の第二情報受信部４２が、ネットワーク７を介して第一テレビ電話端末６１０の送信した映像音声情報を受信すると、変更方法決定部４３は、伝送品質情報受信部３４８が受信した伝送品質に関する情報、ここでは前述したような受信電界強度の値、から、前記実施の形態１において説明した図７に示すような変更方法指定テーブルに基づいて、第二情報受信部４２が受信した情報の変更が必要か否かを判定する。そして、図７に示すような変更方法指定テーブルに基づいて、第二情報受信部４２が受信した映像音声情報に対して行われる変更方法を決定する。ここでは、前記実施の形態１の具体例と同様に、伝送品質の変化に対応して、映像音声情報の表示サイズの変更、または表示の有無が決定される。そして、決定された変更方法に基づいて、情報変更部４４が、第二情報受信部４２の受信した映像音声情報を変更し、変更された映像音声情報が有する映像および音声が、第二映像出力部４５および第二音声出力部４６から出力される。
【０２３４】
以上、本実施の形態によれば、第一テレビ電話端末６１０から送信される伝送品質情報が、第一中継装置７２０の第一中継伝送品質情報受信部７２１、および第一中継伝送品質情報送信部７２２と、第二中継装置７３０の第二中継伝送品質情報受信部７３１、および第二中継伝送品質情報送信部７３２とを経て、第二テレビ電話端末３４０によって受信さ
れる。そして、第二テレビ電話端末３４０は、この伝送品質情報に基づいて、受信した映像音声情報を変更し、この変更した映像音声信号の有する映像および音声を、第二テレビ電話端末３４０の第二映像出力部４５と、第二音声出力部４６から出力するようにした。これにより、伝送品質に応じて映像音声情報を変更でき、映像音声情報の伝送品質に応じた最適な品質による通話を実現することができる。この結果、通話時に、ユーザに対して視聴覚的な不具合を感じさせなくすることが可能となる。
【０２３５】
また、本実施の形態においては、映像音声情報を受信する第二テレビ電話端末３４０が、伝送品質に応じて、映像音声情報を変更している。このため、映像音声情報を変更する前に、伝送品質に応じて表示を変更する旨を、第二テレビ電話端末３４０のユーザに確認するダイアログ等を、ディスプレイ等に表示するようにし、ユーザが同意する指示を出した場合にのみ、表示を変更するようにしてもよい。例えば、映像の表示サイズの変更を行うか否かについて確認を求める表示を行うようにしてもよい。これにより、映像音声情報を受信するユーザが、伝送品質に応じた映像や音声の変更を行うか否かの選択を行うようにすることができる。この結果、ユーザの好みに適応した映像および音声を提供することが可能となる。
【０２３６】
また、第二テレビ電話端末３４０においては、第一テレビ電話端末６１０が取得した伝送品質に応じて変更された映像や音声が表示されることなるため、第二テレビ電話端末３４０のユーザが、表示される映像や音声から、第一テレビ電話端末６１０が取得している伝送品質を把握することが可能となる。このため、第二テレビ電話端末３４０のユーザが、映像音声情報の送信元である第一テレビ電話端末６１０のおかれている状況等を把握することが可能となる。例えば、第一テレビ電話端末６１０が無線を利用する携帯型のテレビ電話端末である場合、表示される映像や音声の変更内容から、第二テレビ電話端末３４０のユーザが、第一テレビ電話端末６１０における電波の受信状況が悪い等を、把握することが可能となる。
【０２３７】
なお、本実施の形態において、第二テレビ電話端末３４０の代わりに、図１８に示した第二テレビ電話端末４４０を設け、第二中継装置７３０の代わりに、図９に示した第二中継装置２３０を設け、この第二中継装置２３０の伝送品質情報受信部２３３が、ネットワーク５を介して、第一中継装置７２０の出力する第一中継伝送品質情報を受信するようにしてもよい。このとき、変更方法決定部２３４が、伝送品質情報受信部２３３が受信した第一中継伝送品質情報に基づいて、第二中継情報受信部３１の受信した映像音声情報に対する変更方法を決定し、情報変更部２３５が、変更方法決定部２３４の決定した変更方法に基づいて第二中継情報受信部３１の受信した映像音声情報を変更するようにする。そして、この変更した映像音声情報を、第二中継情報送信部３２から出力するようにすればよい。
【０２３８】
また、本実施の形態を、以下のように変形するようにしてもよい。すなわち、第二中継装置７３０の代わりに、図１４に示した第二中継装置３３０を設けて、その第二中継装置３３０の伝送品質情報送信部３３７が、伝送品質情報取得部３３６が取得したネットワーク７の伝送品質情報をネットワーク６を介して第一中継装置７２０に送信するようにする。そして、第一中継装置２０の第一中継伝送品質情報受信部７２１が第二中継装置７３０からの伝送品質情報を受信し、第一中継伝送品質情報送信部７２２がこの伝送品質情報を、ネットワーク５を介して、第一テレビ電話端末６１０に送信するようにする。さらに、第一テレビ電話端末６１０に対して、伝送品質取得部５１４および伝送品質情報送信部６１７を設ける代わりに、図１４の第二テレビ電話端末３４０の伝送品質情報受信部３４８、変更方法決定部４３、情報変更部４４を設ける。そして、第一テレビ電話端末６１０の伝送品質情報受信部３４８が第一中継装置２０から受信した伝送品質情報により、変更方法決定部４３が、第一情報送信部１３が構成した映像音声情報の変更方法を決定し、情報
変更部４４が、この変更方法に基づいて、第一情報送信部１３が構成した映像音声情報を変更し、変更して得られた映像音声情報を、第一情報送信部１３が、第一中継装置２０に送信するようにする。これにより、ネットワーク７の伝送品質の変化に応じて、映像および音声を有する情報を変更でき、伝送品質に応じた最適な品質による通話を実現可能となる。
【０２３９】
（実施の形態８）
図２６は、本発明の実施の形態８に係る情報処理システムの構成を示すブロック図である。図において、図２および図１８と同一符号は同一または相当する部分を示している。本実施の形態に係る情報処理システムは、第一テレビ電話端末１０、第一中継装置８２０、第二中継装置３０、及び第二テレビ電話端末４４０を備えている。
【０２４０】
本実施の形態８の情報処理システムは、図２を用いて説明した前記実施の形態１の情報処理システムにおいて、第一中継装置２０の代わりに第一中継装置８２０を、第二テレビ電話端末４０の代わりに前記実施の形態４に係る第一テレビ電話端末４４０を、それぞれ設けるようにしたものである。なお、前記実施の形態１および実施の形態４と同様の部分については、同一符号を付して、説明は省略する。
【０２４１】
また、本実施の形態８に係る情報処理システムのハードウェア構成については、第一中継装置２０の代わりに第一中継装置８２０を、第二テレビ電話端末４０の代わりに前記実施の形態４に係る第一テレビ電話端末４４０を、それぞれ設けるようにしたこと以外は、図１に示したハードウェア構成と同様であるので、ここでは説明を省略する。
【０２４２】
第一テレビ電話端末１０、および第二中継装置３０の構成については、前記実施の形態１と同様であるので、説明は省略する。また、第二テレビ電話端末４４０の構成については、前記実施の形態４と同様であるので、説明は省略する。
【０２４３】
第一中継装置８２０は、第一中継情報受信部２１と、第一中継情報送信部２２と、伝送品質取得部３３６と、変更方法決定部２３４と、情報変更部２３５を備えている。この第一中継装置８２０は、前記実施の形態４において説明した第二中継装置４３０と同様の構成を有している。第一中継情報受信部２１と、第一中継情報送信部２２の構成は、前記実施の形態１と同様であるので、説明を省略する。伝送品質取得部３３６と、変更方法決定部２３４と、情報変更部２３５の構成は、前記実施の形態４と同様であるので、説明は省略する。ただし、ここでは、伝送品質取得部３３６は、ネットワーク５を介して伝送品質を取得する。
【０２４４】
この第一中継装置８２０の動作については、前記実施の形態４において説明した第二中継装置４３０の動作と同様であるので、説明を省略する。ただし、第二中継装置４３０における第二中継情報受信部３１および第二中継情報送信部３２の動作が、それぞれ、第一中継装置８２０の第一中継情報受信部２１および第一中継情報送信部２２の動作に相当するものとなる。
【０２４５】
以下、本実施の形態８に係る情報処理システムの具体例について説明する。なお、第一テレビ電話端末１０および第二中継装置３０に関しては、前記実施の形態１の情報処理システムと同様であるので、具体例の説明は省略する。また、第二テレビ電話端末４４０に関しては、前記実施の形態４に係る情報処理システムと同様であるので、具体例の説明は省略する。また、変更方法決定部２３４は、メモリ等に、前記実施の形態３において説明した図１７に示すような変更方法指定テーブルを格納しているものとする。
【０２４６】
第一中継装置８２０の伝送品質取得部３３６は、定期的、あるいは不定期に、第一テレ
ビ電話端末１０から送られる情報等の受信エラー率を検出し、この受信エラー率を伝送品質として取得する。
【０２４７】
第一中継情報受信部２１が、無線の公衆電話網であるネットワーク５を介して送信された映像音声情報を受信すると、変更方法決定部２３４は、伝送品質取得部３３６が取得した伝送品質から、前記実施の形態３において説明した図１７に示すような変更方法指定テーブルに基づいて、第一中継情報受信部２１が受信した映像音声情報の変更が必要か否かを判定する。そして、変更が必要な場合、図１７に示すような変更方法指定テーブルに基づいて、第一中継情報受信部２１が受信した映像音声情報に対して行われる変更方法を決定する。ここでは、前記実施の形態３の具体例と同様に、伝送品質の変化に対応して、映像音声情報の表示サイズまたは映像の有無の変更が決定される。
【０２４８】
そして、変更方法決定部２３４において決定された変更方法に基づいて、情報変更部２３５が、第一中継情報受信部２１が受信した映像音声情報を変更する。この変更された映像音声情報を、第一中継情報送信部２２が、有線の公衆電話網であるネットワーク５を介して、第二中継装置３０に送信する。
【０２４９】
また、変更方法決定部２３４において変更が不要であると決定された場合には、第一中継情報受信部２１が受信した映像音声情報には変更が加えられず、第一中継情報送信部２２より、有線の公衆電話網であるネットワーク６を介して、第二中継装置３０に出力される。
【０２５０】
以上、本実施の形態によれば、第一中継装置８２０において、伝送品質取得部３３６が取得した伝送品質に基づいて、第一中継情報受信部２１が受信した映像音声情報を変更するようにした。そして、この変更した映像音声情報を、第二テレビ電話端末４４０の第二映像出力部４５と、第二音声出力部４６から出力するようにした。これにより、伝送品質に応じて映像音声情報を変更でき、映像音声情報の伝送品質に応じた最適な品質による通話を実現することができる。この結果、通話時に、ユーザに対して視聴覚的な不具合を感じさせなくすることが可能となる。
【０２５１】
また、本実施の形態によれば、第一中継装置８２０において、映像音声情報の変更を行うようにしている。通常、映像音声情報の変更は、情報の処理量が多く、処理自体も複雑であるため、高性能なプロセッサ等が要求される。このような処理を、第一テレビ電話端末および第二テレビ電話端末で行わなくてよいため、第一テレビ電話端末および第二テレビ電話端末が高性能なプロセッサ等を備える必要が無くなり、第一テレビ電話端末および第二テレビ電話端末を安価に提供することができる。
【０２５２】
また、本実施の形態によれば、第二テレビ電話端末４４０には、第一中継装置８２０が取得したネットワーク５の伝送品質に応じて変更された映像や音声が表示されることとなるため、第二テレビ電話端末４４０のユーザが、表示される映像や音声から、ネットワーク５の伝送品質を把握することが可能となる。このため、第二テレビ電話端末４４０のユーザが、映像音声情報の送信元である第一テレビ電話端末１０のおかれている状況等を把握することが可能となる。例えば、第一テレビ電話端末１０が無線を利用する携帯型のテレビ電話端末である場合、表示される映像や音声の変更内容から、第二テレビ電話端末４４０のユーザが、第一テレビ電話端末１０における電波の受信状況が悪い等を、把握することが可能となる。
【０２５３】
（実施の形態９）
図２７は、本発明の実施の形態９に係る情報処理システムの構成を示すブロック図である。図において、図２および図１４と同一符号は同一または相当する部分を示している。
本実施の形態に係る情報処理システムは、第一テレビ電話端末１０、第一中継装置９２０、第二中継装置９３０、及び第二テレビ電話端末３４０を備えている。
【０２５４】
本実施の形態９の情報処理システムは、図１４を用いて説明した前記実施の形態３の情報処理システムにおいて、第一中継装置２０の代わりに第一中継装置９２０を、第二中継装置３３０の代わりに第二中継装置９３０を、それぞれ設けるようにしたものである。なお、前記実施の形態１および実施の形態３と同様の部分については、同一符号を付して、ここでは、その詳細な構成および動作等の説明は省略する。
【０２５５】
また、本実施の形態９に係る情報処理システムのハードウェア構成については、第一中継装置２０の代わりに第一中継装置９２０を、第二中継装置３０の代わりに第二中継装置９３０を、第二テレビ電話端末４０の代わりに前記実施の形態４に係る第二テレビ電話端末３４０を、それぞれ設けるようにしたこと以外は、図１に示したハードウェア構成と同様であるので、ここでは説明を省略する。
【０２５６】
第一中継装置９２０は、第一中継情報受信部２１と、第一中継情報送信部２２と、伝送品質取得部９２６と、伝送品質情報送信部９２７とを備えている。第一中継情報受信部２１と、第一中継情報送信部２２の構成は、前記実施の形態１と同様であるので、説明を省略する。伝送品質取得部９２６と、伝送品質情報送信部９２７の構成は、前記実施の形態３の伝送品質取得部３３６と、伝送品質情報送信部３３７の構成と同様であるので、説明は省略する。ただし、ここでは、伝送品質取得部９２６は、ネットワーク５を介して伝送品質を取得する。また、伝送品質情報送信部９２７は、伝送品質に関する情報を、ネットワーク６を介して送信する。この第一中継装置９２０は、前記実施の形態３において説明した第二中継装置３３０と同様の構成を有している。したがって、第一中継装置９２０の動作については、第二中継装置３３０の動作と同様であるので、説明を省略する。
【０２５７】
第二中継装置９３０は、第二中継情報受信部３１と、第二中継情報送信部３２と、中継伝送品質情報受信部９３１と、中継伝送品質情報送信部９３２とを備えている。第二中継情報受信部３１と、第二中継情報送信部３２の構成は、前記実施の形態３と同様であるので、説明は省略する。また、中継伝送品質情報受信部９３１と、中継伝送品質情報送信部９３２の構成は、それぞれ、前記実施の形態７の第二中継伝送品質情報受信部７３１と、第二中継伝送品質情報送信部７３２の構成と同様であるので、説明は省略する。この第二中継装置９３０は、前記実施の形態７において説明した第二中継装置７３０と同様の構成を有している。したがって、第二中継装置９３０の動作については、第二中継装置７３０の動作と同様であるので、説明を省略する。
【０２５８】
以下、本実施の形態９に係る情報処理システムの具体例について説明する。なお、前記実施の形態１ないし実施の形態８の情報処理システムにおいて具体例として説明した部分と同様の部分についての説明は省略する。ここでは、例として、第一中継装置９２０および第二中継装置９３０が無線の公衆電話網と、有線の公衆電話網とを接続する基地局であるものとする。
【０２５９】
第一中継装置９２０の伝送品質取得部９２６は、定期的、あるいは不定期に、第一テレビ電話端末１０から送られる映像音声情報やその他の情報等の受信エラー率を検出し、この受信エラー率を伝送品質として取得する。
【０２６０】
そして、伝送品質情報送信部９２７が、伝送品質取得部９２６の取得した伝送品質に基づいて、伝送品質情報を構成する。ここでは、伝送品質に関する情報を、伝送品質取得部９２６が取得した受信エラー率の値とする。そして、この伝送品質情報を、ネットワーク６経由で、第二中継装置９３０に送信する。
【０２６１】
第二中継装置９３０の中継伝送品質情報受信部９３１は、第一中継装置９２０から送信される伝送品質に関する情報を受信する。中継伝送品質情報送信部９３２が、中継伝送品質情報受信部９３１が受信した伝送品質に関する情報を取得し、第二テレビ電話端末３４０に送信する。
【０２６２】
第二テレビ電話端末３４０の伝送品質情報受信部３４８は、中継伝送品質情報送信部９３２が送信する伝送品質情報を受信する。そして、第二テレビ電話端末３４０は、この受信した伝送品質情報に基づいて、前記実施の形態３において説明したように、必要に応じて、第二情報受信部４２が受信した映像音声情報に対して変更を行い、この変更した映像音声情報が有する映像および音声を出力する。
【０２６３】
以上、本実施の形態によれば、第一中継装置９２０の伝送品質取得部９２６が取得した伝送品質に基づいて、第二テレビ電話端末４４０の情報変更部４４において、第二情報受信部４２の受信した映像音声情報を変更するようにした。そして、変更した映像音声情報の有する映像および音声を、第二テレビ電話端末４４０の第二映像出力部４５と、第二音声出力部４６から出力するようにした。これにより、伝送品質に応じて映像音声情報を変更でき、映像音声情報の伝送品質に応じた最適な品質による通話を実現することができる。この結果、通話時に、ユーザに対して視聴覚的な不具合を感じさせなくすることが可能となる。
【０２６４】
また、本実施の形態においては、映像音声情報を受信する第二テレビ電話端末４４０が、伝送品質に応じて、映像音声情報を変更している。このため、映像音声情報を変更する前に、伝送品質に応じて表示を変更する旨を、第二テレビ電話端末４４０のユーザに確認するダイアログ等を、ディスプレイ等に表示するようにし、ユーザが同意する指示を出した場合にのみ、表示を変更するようにしてもよい。例えば、映像の表示サイズの変更を行うか否かについて確認を求める表示を行うようにしてもよい。これにより、映像音声情報を受信するユーザが、伝送品質に応じた映像や音声の変更を行うか否かの選択を行うようにすることができる。この結果、ユーザの好みに適応した映像および音声を提供することが可能となる。
【０２６５】
なお、本実施の形態によれば、第二テレビ電話端末３４０には、第一中継装置９２０が取得したネットワーク５の伝送品質に応じた映像や音声が表示されることなるため、第二テレビ電話端末３４０のユーザが、表示される映像や音声から、第一テレビ電話端末１０が取得している伝送品質を把握することが可能となる。このため、第二テレビ電話端末３４０のユーザが、映像音声情報の送信元である第一テレビ電話端末１０のおかれている状況等を把握することが可能となる。例えば、第一テレビ電話端末１０が無線を利用する携帯型のテレビ電話端末である場合、表示される映像や音声の変更内容から、第二テレビ電話端末３４０のユーザが、第一テレビ電話端末６１０における電波の受信状況が悪い等を、把握することが可能となる。
【０２６６】
また、本実施の形態において、第二テレビ電話端末３４０の代わりに、図１８に示した第二テレビ電話端末４４０を設け、第二中継装置９３０の代わりに、図９に示した第二中継装置２３０を設け、この第二中継装置２３０の伝送品質情報受信部２３３が、ネットワーク５を介して、第一中継装置９２０の出力する伝送品質情報を受信するようにしてもよい。この場合、第二中継装置２３０の変更方法決定部２３４が、伝送品質情報受信部２３３が受信した伝送品質情報に基づいて、第二中継情報受信部３１の受信した映像音声情報に対する変更方法を決定し、情報変更部２３５が、変更方法決定部２３４の決定した変更方法に基づいて第二中継情報受信部３１の受信した映像音声情報を変更するようにする。そして、この変更した映像音声情報を、第二中継情報送信部３２から出力するようにすれ
ばよい。
【０２６７】
なお、上記各実施の形態において、各処理または各機能は、単一の装置または単一のシステムによって集中処理されることによって実現されてもよく、あるいは、複数の装置または複数のシステムによって分散処理されることによって実現されてもよい。
【０２６８】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０２６９】
なお、上記各実施の形態における情報処理システムの第一テレビ電話端末を実現するソフトウェアは、以下のようなプログラムである。つまり、このプログラムは、コンピュータに、映像を取得するステップと、音声を取得するステップと、前記映像および前記音声を有する情報を送信するステップと、伝送品質を取得するステップと、前記伝送品質に関する情報である伝送品質情報を構成し、当該伝送品質情報を送信するステップを実行させるためのプログラムである。
【０２７０】
また、このプログラムは、コンピュータに、映像を取得するステップと、音声を取得するステップと、前記映像および前記音声を有する情報を作成するステップと、伝送品質に関する情報である伝送品質情報を受信するステップと、前記受信した伝送品質に基づいて前記作成した情報の変更方法を決定するステップと、前記変更方法に基づいて、前記作成した情報を変更するステップと、前記変更した情報を送信するステップを実行させるためのプログラムである。
【０２７１】
また、上記各実施の形態における情報処理システムの第一中継装置、および第２中継装置を実現するソフトウェアは、以下のようなプログラムである。つまり、このプログラムは、コンピュータに、映像および音声を有する情報を受信するステップと、伝送品質に関する情報である伝送品質情報を受信するステップと、前記伝送品質情報に基づいて前記情報の変更方法を決定するステップと、前記変更方法に基づいて、前記受信した映像および音声を有する情報を変更するステップと、前記変更した情報を送信するステップを実行させるためのプログラムである。
【０２７２】
また、このプログラムは、コンピュータに、伝送品質に関する情報である伝送品質情報を受信するステップと、前記伝送品質情報を送信するステップと、映像および音声を有する情報を受信するステップと、前記受信した映像および音声を有する情報を送信するステップを実行させるためのプログラムである。
【０２７３】
また、このプログラムは、コンピュータに、映像および音声を有する情報を受信するステップと、伝送品質を取得するステップと、前記伝送品質に基づいて前記情報の変更方法を決定するステップと、前記変更方法に基づいて、前記受信した情報を変更するステップと、前記変更した情報を送信するステップを実行させるためのプログラムである。
【０２７４】
また、このプログラムは、コンピュータに、伝送品質を取得するステップと、前記伝送品質に関する情報である伝送品質情報を構成し、当該伝送品質情報を送信するステップと、映像および音声を有する情報を受信するステップと、前記受信した情報を送信するステップを実行させるためのプログラムである。
【０２７５】
また、上記各実施の形態における情報処理システムの第二テレビ電話端末を実現するソ
フトウェアは、以下のようなプログラムである。つまり、このプログラムは、コンピュータに、伝送品質を取得するステップと、映像および音声を有する情報を受信するステップと、前記伝送品質に基づいて前記情報の変更方法を決定するステップと、前記変更方法に基づいて、前記受信した情報を変更するステップと、前記変更した情報が有する映像を出力するステップと、前記情報変更部が変更した情報が有する音声を出力するステップとを実行させるためのプログラムである。
【０２７６】
また、このプログラムは、コンピュータに、伝送品質を取得するステップと、前記伝送品質に関する情報である伝送品質情報を構成し、当該伝送品質情報を送信するステップと、前記映像および音声を有する情報を受信するステップと、前記受信した情報が有する映像を出力するステップと、前記受信した情報が有する音声を出力するステップとを実行させるためのプログラムである。
【０２７７】
また、このプログラムは、コンピュータに、映像および音声を有する情報を受信するステップと、伝送品質に関する情報である伝送品質情報を受信するステップと、前記伝送品質に基づいて前記受信した情報の変更方法を決定するステップと、前記変更方法に基づいて、前記受信した情報を変更するステップと、前記変更した情報が有する映像を出力するステップと、前記変更した情報が有する音声を出力するステップとを実行させるためのプログラムである。
【０２７８】
なお、上記プログラムにおいて、情報を送信する送信ステップや、情報を受信する受信ステップなどでは、ハードウェアでしか行われない処理、例えば、送信ステップにおけるモデムやインターフェースカードなどで行われる処理は、少なくとも含まれない。
【０２７９】
また、このプログラムは、サーバなどからダウンロードされることによって実行されてもよく、所定の記録媒体、例えば、ＣＤ−ＲＯＭなどの光ディスクや磁気ディスク、半導体メモリなど、に記録されたプログラムが読み出されることによって実行されてもよい。
【０２８０】
また、このプログラムを実行するコンピュータは、単数であってもよく、複数であってもよい。すなわち、集中処理を行ってもよく、あるいは分散処理を行ってもよい。
また、本発明は、以上の実施の形態に限定されることなく、種々の変更が可能であり、それらも本発明の範囲内に包含されるものであることは言うまでもない。
【産業上の利用可能性】
【０２８１】
本発明に係る情報処理システム等は、テレビ電話端末を備えた情報処理システム等として有用であり、特に、携帯型のテレビ電話端末を利用する情報処理システム等の、伝送品質が変化しやすい情報処理システム等として適している。
【図面の簡単な説明】
【０２８２】
【図１】実施の形態１に係る情報処理システムのハードウェア構成を示す概略図
【図２】同情報処理システムのブロック図
【図３】同情報処理システムの第一テレビ電話端末の動作を示すフローチャート
【図４】同情報処理システムの第一中継装置の動作を示すフローチャート
【図５】同情報処理システムの第二中継装置の動作を示すフローチャート
【図６】同情報処理システムの第二テレビ電話端末の動作を示すフローチャート
【図７】同情報処理システムの変換方法指定テーブルの一例を示す図
【図８】（ａ）同情報処理システムの第二テレビ電話端末の表示の一例を示す図、（ｂ）同情報処理システムの第二テレビ電話端末の表示の一例を示す図、（ｃ）同情報処理システムの第二テレビ電話端末の表示の一例を示す図
【図９】実施の形態２に係る情報処理システムのブロック図
【図１０】同情報処理システムの第二中継装置の動作を示すフローチャート
【図１１】同情報処理システムの第二テレビ電話端末の動作を示すフローチャート
【図１２】同情報処理システムの変換方法指定テーブルの一例を示す図
【図１３】（ａ）同情報処理システムの第二テレビ電話端末の表示の一例を示す図、（ｂ）同情報処理システムの第二テレビ電話端末の表示の一例を示す図、（ｃ）同情報処理システムの第二テレビ電話端末の表示の一例を示す図
【図１４】実施の形態３に係る情報処理システムのブロック図
【図１５】同情報処理システムの第二中継装置の動作を示すフローチャート
【図１６】実施の形態３に係る情報処理システムの第二テレビ電話端末の動作を示すフローチャート
【図１７】同情報処理システムの変換方法指定テーブルの一例を示す図
【図１８】実施の形態４に係る情報処理システムのブロック図
【図１９】同情報処理システムの第二中継装置の動作を示すフローチャート
【図２０】実施の形態５に係る情報処理システムのブロック図
【図２１】同情報処理システムの第一テレビ電話端末の動作を示すフローチャート
【図２２】実施の形態６に係る情報処理システムのブロック図
【図２３】同情報処理システムの第一テレビ電話端末の動作を示すフローチャート
【図２４】実施の形態７に係る情報処理システムのブロック図
【図２５】同情報処理システムの第一中継装置の動作を示すフローチャート
【図２６】実施の形態８に係る情報処理システムのブロック図
【図２７】実施の形態９に係る情報処理システムのブロック図
【符号の説明】
【０２８３】
５、６、７  ネットワーク
１０、５１０、６１０  第一テレビ電話端末
１１  第一映像取得部
１２  第一音声取得部
１３  第一情報送信部
２０、５２０、６２０、７２０、８２０、９２０  第一中継装置
２１  第一中継情報受信部
２２  第一中継情報送信部
３０、２３０、３３０、４３０、６３０、７３０、９３０  第二中継装置
３１  第二中継情報受信部
３２  第二中継情報送信部
３３、２３３、３４８、６２３  伝送品質情報受信部
３４、４３、２３４  変更方法決定部
４０、２４０、３４０、４４０  第二テレビ電話端末
４１、２３４、３３６、５１４、９２６  伝送品質取得部
４２  第二情報受信部
４４、２３５、５１６、６２５  情報変更部
４５  第二映像出力部
４６  第二音声出力部
２４７、３３７、６１７、９２７  伝送品質情報送信部
５１５、６２４  変更方法決定部
７２１  第一中継伝送品質情報受信部
７２２  第一中継伝送品質情報送信部
７３１  第二中継伝送品質情報受信部
７３２  第二中継伝送品質情報送信部
９３１  中継伝送品質情報受信部
９３２  中継伝送品質情報送信部
【図１】
2006222838.tif 000003
【図２】
2006222838.tif 000004
【図３】
2006222838.tif 000005
【図４】
2006222838.tif 000006
【図５】
2006222838.tif 000007
【図６】
2006222838.tif 000008
【図７】
2006222838.tif 000009
【図８】
2006222838.tif 000010
【図９】
2006222838.tif 000011
【図１０】
2006222838.tif 000012
【図１１】
2006222838.tif 000013
【図１２】
2006222838.tif 000014
【図１３】
2006222838.tif 000015
【図１４】
2006222838.tif 000016
【図１５】
2006222838.tif 000017
【図１６】
2006222838.tif 000018
【図１７】
2006222838.tif 000019
【図１８】
2006222838.tif 000020
【図１９】
2006222838.tif 000021
【図２０】
2006222838.tif 000022
【図２１】
2006222838.tif 000023
【図２２】
2006222838.tif 000024
【図２３】
2006222838.tif 000025
【図２４】
2006222838.tif 000026
【図２５】
2006222838.tif 000027
【図２６】
2006222838.tif 000028
【図２７】
2006222838.tif 000029